(57)【特許請求の範囲】
【請求項１】
湯水混合水栓に組み込まれ、給湯源から供給される湯と給水源から供給される水とを混合した湯水を吐止水する湯水混合バルブ装置であって、
湯水混合水栓の吐水口の上流側に設けられたケーシングと、
このケーシング内に固定され、給湯源から供給された湯が流入する通湯路及び給水源から供給された水が通過する通水路が形成された固定弁体と、
上記ケーシング内に配置されて上記固定弁体に対して摺動することにより上記固定弁体の通湯路及び通水路を開閉する可動弁体であって、上記通湯路及び上記通水路のそれぞれを通過した湯と水を連通させる湯水連通部が内部に形成された上記可動弁体と、
一端部が上記可動弁体に取り付けられて上記可動弁体を移動させて上記可動弁体の開閉操作を行い、吐水と止水を切り替える操作部であって、上記可動弁体の摺動面に対して垂直な面内で操作することで、上記可動弁体が上記固定弁体の通湯路及び通水路を閉鎖する所定の閉弁位置と上記通湯路及び／又は上記通水路を開放する所定の開弁位置との間で移動することにより、上記固定弁体の下流側の湯水の流量を調整すると共に、上記可動弁体が上記開弁位置にあるときに、上記操作部を上記可動弁体の摺動面に平行な面上の操作領域内で回動操作することにより、上記可動弁体の湯水連通部で混合される湯と水の割合を調整して上記湯水混合水栓の吐水口から吐水される湯水の温度調節を行う上記操作部と、を有し、
上記可動弁体は、上記操作部による回動操作を行ったときに、開弁している状態の方が閉弁している状態よりも大きい摺動範囲で上記固定弁体に対して摺動するように上記ケーシング内に配置され、
上記固定弁体は、その通水路において上記ケーシングの中心側に形成される通水路内側縁部、使用者が相対する正面側から使用者とは反対側方向に延びる上記固定弁体の中心軸線、及び上記通水路内側縁部の一端から上記中心軸線に下ろした垂線によって取り囲まれるように形成される第１の領域と、この第１の領域に対して上記中心軸線を対称軸として対称に形成される第２の領域と、を備え、上記固定弁体の通湯路の少なくとも一部は、上記第２の領域内に存在することを特徴とする湯水混合バルブ装置。
【請求項２】
湯水混合水栓に組み込まれ、給湯源から供給される湯と給水源から供給される水とを混合した湯水を吐止水する湯水混合バルブ装置であって、
湯水混合水栓の吐水口の上流側に設けられたケーシングと、
このケーシング内に固定され、給湯源から供給された湯が流入する通湯路及び給水源から供給された水が通過する通水路が形成された固定弁体と、
上記ケーシング内に配置されて上記固定弁体に対して摺動することにより上記固定弁体の通湯路及び通水路を開閉する可動弁体であって、上記通湯路及び上記通水路のそれぞれを通過した湯と水を連通させる湯水連通部が内部に形成された上記可動弁体と、
一端部が上記可動弁体に取り付けられて上記可動弁体を移動させて上記可動弁体の開閉操作を行い、吐水と止水を切り替える操作部であって、上記可動弁体の摺動面に対して垂直な面内で操作することで、上記可動弁体が上記固定弁体の通湯路及び通水路を閉鎖する所定の閉弁位置と上記通湯路及び／又は上記通水路を開放する所定の開弁位置との間で移動することにより、上記固定弁体の下流側の湯水の流量を調整すると共に、上記可動弁体が上記開弁位置にあるときに、上記操作部を上記可動弁体の摺動面に平行な面上の操作領域内で回動操作することにより、上記可動弁体の湯水連通部で混合される湯と水の割合を調整して上記湯水混合水栓の吐水口から吐水される湯水の温度調節を行う上記操作部と、を有し、
上記可動弁体は、上記操作部による回動操作を行ったときに、開弁している状態の方が閉弁している状態よりも大きい摺動範囲で上記固定弁体に対して摺動するように上記ケーシング内に配置され、
上記固定弁体は、その通水路において上記ケーシングの中心側に形成される通水路内側縁部、鉛直方向に延びる上記固定弁体の中心軸線、及び上記通水路内側縁部の一端から上記中心軸線に下ろした垂線によって取り囲まれるように形成される第１の領域と、この第１の領域に対して上記中心軸線を対称軸として対称に形成される第２の領域と、を備え、上記固定弁体の通湯路の少なくとも一部は、上記第２の領域内に存在することを特徴とする湯水混合バルブ装置。
【請求項３】
上記可動弁体の湯水連通部は、上記固定弁体の通水路側に形成される通水路側縁部と、この通水路側縁部と対向するように上記固定弁体の通湯路側に形成される通湯路側縁部と、を備え、
上記固定弁体は、更に、上記可動弁体の湯水連通部の通水路側縁部、上記中心軸線、及び上記垂線によって取り囲まれるように形成される第３の領域と、この第３の領域に対して上記中心軸線を対称軸として対称に形成される第４の領域と、を備え、上記可動弁体の湯水連通部の通湯路側縁部の少なくとも一部は、上記第４の領域内に存在する請求項１又は２に記載の湯水混合バルブ装置。
【請求項４】
上記固定弁体の通湯路は、上記可動弁体の湯水連通部側に形成される湯水連通側縁部を備え、この湯水連通側縁部と上記可動弁体の通湯路側縁部との間隔は、上記操作部を上記可動弁体の摺動面に平行な面上に沿って上記ケーシングの正面側に回動操作した状態で上記可動弁体の開閉操作を行った場合、上記可動弁体が閉弁位置にあるときの間隔よりも上記可動弁体が開弁位置にあるときの間隔の方が小さい請求項１乃至３の何れか１項に記載の湯水混合バルブ装置。
【請求項５】
上記固定弁体の通湯路の湯水連通側縁部及び上記可動弁体の通湯路側縁部のそれぞれは、上記可動弁体が上記閉弁位置から上記開弁位置に移動する方向に向って、上記中心軸線に近づくように傾斜している請求項４記載の湯水混合バルブ装置。
【請求項６】
上記固定弁体の通湯路の湯水連通側縁部は、上記中心軸線に対して近位側に位置する第１の湯水連通側縁部と、上記中心軸線に対して上記第１の湯水連通側縁部よりも遠位側に位置する第２の湯水連通側縁部と、上記第１の湯水連通側縁部と上記第２の湯水連通側縁部とにより形成される第１の段部と、を備え、上記可動弁体の湯水連通部の通湯路側縁部は、上記中心軸線に対して近位側に位置する第１の通湯路側縁部と、上記中心軸線に対して上記第１の通湯路側縁部よりも遠位側に位置する第２の通湯路側縁部と、上記第１の通湯路側縁部と上記第２の通湯路側縁部とにより形成される第２の段部と、を備えている請求項４記載の湯水混合バルブ装置。
【発明の詳細な説明】
【技術分野】
【０００１】
本発明は、湯水混合バルブ装置に係り、特に、湯水混合水栓に組み込まれ、給湯源から供給される湯と給水源から供給される水とを混合した湯水を吐止水する湯水混合バルブ装置に関する。
【背景技術】
【０００２】
従来から、湯水混合水栓に組み込まれ、給湯源から供給される湯と給水源から供給される水とを混合した湯水を吐止水する湯水混合バルブ装置として、例えば、特許文献１〜３に記載されているように、シングルレバー式の湯水混合水栓の内部に設けられ、給湯源から供給される湯と給水源から供給される水をそれぞれ通過させる通湯路及び通水路が形成された固定弁体と、この固定弁体に対して摺動可能に取り付けられて湯水連通部を形成する可動弁体と、この可動弁体を移動させて開閉する操作レバーとを備えているものが知られている。
これらの従来の湯水混合バルブ装置においては、可動弁体に取り付けられている操作レバーを上下方向に回動操作したときには、可動弁体が固定弁体の通湯路及び通水路を閉鎖する所定の閉弁位置と通湯路及び／又は通水路を開放する所定の開弁位置との間で移動することにより、固定弁体の下流側の湯水の流量を調整することができると共に、可動弁体が開弁位置にあるときに、操作レバーを水平方向の所定の操作領域内で回動操作することにより、可動弁体が、固定弁体の通湯路及び通水路の開口断面積を変化させるように固定弁体に対して摺動し、可動弁体の湯水連通部で混合される湯と水の割合を調整して湯水混合水栓の吐水口から吐水される湯水の温度調節を行うことができるようになっている。
特に、特許文献３に記載されている湯水混合バルブ装置においては、操作レバーを使用頻度が高い吐水操作位置となる湯水混合水栓の正面側且つ水平方向の中央の位置に配置させた状態で水のみが湯水混合水栓の吐水口から吐水されるようになっている。また、固定弁体の通湯路と通水路が固定弁体の前後方向に延びる中心線を対称軸として互いに対称に配置されており、可動弁体が開弁している状態にあるか閉弁状態にあるかにかかわらず、操作レバーを固定弁体上の摺動面に平行な面上の操作領域内で回動操作して湯水の温度調節を行うと、可動弁体が固定弁体の上面に沿って回転摺動するようになっている。
【先行技術文献】
【特許文献】
【０００３】
【特許文献１】実開昭６０−８６６７５号公報
【特許文献２】実開昭５５−９２９６４号公報
【特許文献３】特開２０１０−１８５５６９号公報
【発明の概要】
【発明が解決しようとする課題】
【０００４】
しかしながら、上述した特許文献３に記載されている従来の湯水混合バルブ装置においては、操作レバーを使用頻度が高い吐水操作位置となる湯水混合水栓の正面側且つ水平方向の中央の位置に配置し、水のみを湯水混合水栓の吐水口から吐水可能な状態に設定したときに、可動弁体が開弁位置にある場合には、可動弁体の湯水連通部が固定弁体の通水路のみと連通する必要があり、可動弁体が閉弁位置にある場合には、可動弁体が固定弁体に対して回転摺動したとしても、可動弁体の湯水連通部が固定弁体の通湯路及び通水路の双方と連通しないようにする必要がある。このため、固定弁体の通湯路を比較的に狭く設計したり、固定弁体の前後方向に延びるケーシングの中心軸線に対して離間する方向に配置しなければならず、操作レバーを湯側の吐水操作位置に操作して湯水混合水栓の吐水口から湯を吐水する場合には、固定弁体の通湯路が狭い分だけ固定弁体の通湯路を通過する湯の流量が減少してしまうという問題がある。
また、湯水混合水栓の吐水口から湯を吐水する場合において、固定弁体の通湯路を通過する湯の流量が減少している状態では、固定弁体の通湯路の上流側の給湯器を通過する流量が、給湯器の着火に要する最低流量にも達せずに、給湯器から固定弁体の通湯路に湯が供給されない場合もあるという問題がある。
【０００５】
そこで、本発明は、上述した従来技術の問題を解決するためになされたものであり、使用頻度が高い吐水操作位置において湯水混合水栓の吐水口から十分な水の吐水量を確保して水のみを吐水することができる共に、可動弁体を開弁させて湯水を吐水する際には固定弁体の通湯路を流れる湯の流量を増大させることができ、使い勝手が良い湯水混合バルブ装置を提供することを目的としている。
【課題を解決するための手段】
【０００７】
上記の目的を達成するために、本発明は、湯水混合水栓に組み込まれ、給湯源から供給される湯と給水源から供給される水とを混合した湯水を吐止水する湯水混合バルブ装置であって、湯水混合水栓の吐水口の上流側に設けられたケーシングと、このケーシング内に固定され、給湯源から供給された湯が流入する通湯路及び給水源から供給された水が通過する通水路が形成された固定弁体と、上記ケーシング内に配置されて上記固定弁体に対して摺動することにより上記固定弁体の通湯路及び通水路を開閉する可動弁体であって、上記通湯路及び上記通水路のそれぞれを通過した湯と水を連通させる湯水連通部が内部に形成された上記可動弁体と、一端部が上記可動弁体に取り付けられて上記可動弁体を移動させて上記可動弁体の開閉操作を行い、吐水と止水を切り替える操作部であって、上記可動弁体の摺動面に対して垂直な面内で操作することで、上記可動弁体が上記固定弁体の通湯路及び通水路を閉鎖する所定の閉弁位置と上記通湯路及び／又は上記通水路を開放する所定の開弁位置との間で移動することにより、上記固定弁体の下流側の湯水の流量を調整すると共に、上記可動弁体が上記開弁位置にあるときに、上記操作部を上記可動弁体の摺動面に平行な面上の操作領域内で回動操作することにより、上記可動弁体の湯水連通部で混合される湯と水の割合を調整して上記湯水混合水栓の吐水口から吐水される湯水の温度調節を行う上記操作部と、を有し、上記可動弁体は、上記操作部による回動操作を行ったときに、開弁している状態の方が閉弁している状態よりも大きい摺動範囲で上記固定弁体に対して摺動するように上記ケーシング内に配置され、上記固定弁体は、その通水路において上記ケーシングの中心側に形成される通水路内側縁部、使用者が相対する正面側から使用者とは反対側方向に延びる上記固定弁体の中心軸線、及び上記通水路内側縁部の一端から上記中心軸線に下ろした垂線によって取り囲まれるように形成される第１の領域と、この第１の領域に対して上記中心軸線を対称軸として対称に形成される第２の領域と、を備え、上記固定弁体の通湯路の少なくとも一部は、上記第２の領域内に存在することを特徴としている。
このように構成された本発明においては、可動弁体が閉弁している状態で操作部による回動操作を行った場合に、固定弁体に対する可動弁体の摺動範囲を開弁時よりも規制することができるため、閉弁時の可動弁体が、操作部の回動操作によって固定弁体の通湯路及び通水路を開放するのを防ぐことができる。したがって、可動弁体が閉弁している状態で操作部による回動操作を行った場合に、固定弁体に対する可動弁体の摺動範囲を開弁時よりも規制していない状態に比べて、固定弁体の通湯路及び通水路のそれぞれの流路を大きく設定することができる。また、固定弁体には、その通水路においてケーシングの中心側に形成される通水路内側縁部、使用者が相対する正面側から使用者とは反対側方向に延びる上記固定弁体の中心軸線、及び固定弁体の通水路の通水路内側縁部の一端から上記中心軸線に下ろした垂線によって取り囲まれるように第１の領域が形成され、この第１の領域に対して上記中心軸線を対称軸として第２の領域が対称に形成され、この第２の領域内に固定弁体の通湯路の少なくとも一部が存在しているため、固定弁体の通湯路と通水路とを上記中心軸線に対して互いに対称に配置することなく、固定弁体の通湯路を上記中心軸線側に寄せることができる。したがって、固定弁体の通湯路を上記中心軸線側に寄せていない場合に比べて、可動弁体を開弁させて湯水を吐水する際に固定弁体の通湯路を流れる湯の流量を増大させることができる。よって、使用頻度が高い吐水操作位置において湯水混合水栓の吐水口から十分な水の吐水量を確保して水のみを吐水することができる共に、可動弁体を開弁させて湯水を吐水する際には固定弁体の通湯路を流れる湯の流量を増大させることもでき、使い勝手が良い。
また、本発明は、湯水混合水栓に組み込まれ、給湯源から供給される湯と給水源から供給される水とを混合した湯水を吐止水する湯水混合バルブ装置であって、湯水混合水栓の吐水口の上流側に設けられたケーシングと、このケーシング内に固定され、給湯源から供給された湯が流入する通湯路及び給水源から供給された水が通過する通水路が形成された固定弁体と、上記ケーシング内に配置されて上記固定弁体に対して摺動することにより上記固定弁体の通湯路及び通水路を開閉する可動弁体であって、上記通湯路及び上記通水路のそれぞれを通過した湯と水を連通させる湯水連通部が内部に形成された上記可動弁体と、一端部が上記可動弁体に取り付けられて上記可動弁体を移動させて上記可動弁体の開閉操作を行い、吐水と止水を切り替える操作部であって、上記可動弁体の摺動面に対して垂直な面内で操作することで、上記可動弁体が上記固定弁体の通湯路及び通水路を閉鎖する所定の閉弁位置と上記通湯路及び／又は上記通水路を開放する所定の開弁位置との間で移動することにより、上記固定弁体の下流側の湯水の流量を調整すると共に、上記可動弁体が上記開弁位置にあるときに、上記操作部を上記可動弁体の摺動面に平行な面上の操作領域内で回動操作することにより、上記可動弁体の湯水連通部で混合される湯と水の割合を調整して上記湯水混合水栓の吐水口から吐水される湯水の温度調節を行う上記操作部と、を有し、上記可動弁体は、上記操作部による回動操作を行ったときに、開弁している状態の方が閉弁している状態よりも大きい摺動範囲で上記固定弁体に対して摺動するように上記ケーシング内に配置され、上記固定弁体は、その通水路において上記ケーシングの中心側に形成される通水路内側縁部、鉛直方向に延びる上記固定弁体の中心軸線、及び上記通水路内側縁部の一端から上記中心軸線に下ろした垂線によって取り囲まれるように形成される第１の領域と、この第１の領域に対して上記中心軸線を対称軸として対称に形成される第２の領域と、を備え、上記固定弁体の通湯路の少なくとも一部は、上記第２の領域内に存在することを特徴としている。
このように構成された本発明においては、可動弁体が閉弁している状態で操作部による回動操作を行った場合に、固定弁体に対する可動弁体の摺動範囲を開弁時よりも規制することができるため、閉弁時の可動弁体が、操作部の回動操作によって固定弁体の通湯路及び通水路を開放するのを防ぐことができる。したがって、可動弁体が閉弁している状態で操作部による回動操作を行った場合に、固定弁体に対する可動弁体の摺動範囲を開弁時よりも規制していない状態に比べて、固定弁体の通湯路及び通水路のそれぞれの流路を大きく設定することができる。また、固定弁体には、その通水路においてケーシングの中心側に形成される通水路内側縁部、鉛直方向に延びる上記固定弁体の中心軸線、及び固定弁体の通水路の通水路内側縁部の一端から上記中心軸線に下ろした垂線によって取り囲まれるように第１の領域が形成され、この第１の領域に対して上記中心軸線を対称軸として第２の領域が対称に形成され、この第２の領域内に固定弁体の通湯路の少なくとも一部が存在しているため、固定弁体の通湯路と通水路とを上記中心軸線に対して互いに対称に配置することなく、固定弁体の通湯路を上記中心軸線側に寄せることができる。したがって、固定弁体の通湯路を上記中心軸線側に寄せていない場合に比べて、可動弁体を開弁させて湯水を吐水する際に固定弁体の通湯路を流れる湯の流量を増大させることができる。よって、使用頻度が高い吐水操作位置において湯水混合水栓の吐水口から十分な水の吐水量を確保して水のみを吐水することができる共に、可動弁体を開弁させて湯水を吐水する際には固定弁体の通湯路を流れる湯の流量を増大させることもでき、使い勝手が良い。
【０００８】
本発明において、好ましくは、上記可動弁体の湯水連通部は、上記固定弁体の通水路側に形成される通水路側縁部と、この通水路側縁部と対向するように上記固定弁体の通湯路側に形成される通湯路側縁部と、を備え、上記固定弁体は、更に、上記可動弁体の湯水連通部の通水路側縁部、上記中心軸線、及び上記垂線によって取り囲まれるように形成される第３の領域と、この第３の領域に対して上記中心軸線を対称軸として対称に形成される第４の領域と、を備え、上記可動弁体の湯水連通部の通湯路側縁部の少なくとも一部は、上記第４の領域内に存在する。
このように構成された本発明においては、固定弁体が、可動弁体の湯水連通部の通水路側縁部と、上記中心軸線と、固定弁体の通水路の通水路内側縁部の一端から上記中心軸線から下ろした垂線とによって取り囲まれるように形成される第３の領域と、この第３の領域に対して上記中心軸線を対称軸として対称に形成される第４の領域とを備え、可動弁体の湯水連通部の通湯路側縁部の少なくとも一部が、第４の領域内に存在することにより、固定弁体の通湯路と通水路とを上記中心軸線に対して互いに対称に配置することなく、固定弁体の通湯路をさらに上記中心軸線側に寄せることができる。したがって、固定弁体の通湯路を上記中心軸線側に寄せていない場合に比べて、可動弁体を開弁させて湯水を吐水する際に固定弁体の通湯路と可動弁体の湯水連通部とが連通する面積を増大させることができ、固定弁体の通湯路から可動弁体の湯水連通部を流れる湯の流量をさらに増大させることができる。
【０００９】
本発明において、好ましくは、上記固定弁体の通湯路は、上記可動弁体の湯水連通部側に形成される湯水連通側縁部を備え、この湯水連通側縁部と上記可動弁体の通湯路側縁部との間隔は、上記操作部を上記可動弁体の摺動面に平行な面上に沿って上記ケーシングの正面側に回動操作した状態で上記可動弁体の開閉操作を行った場合、上記可動弁体が閉弁位置にあるときの間隔よりも上記可動弁体が開弁位置にあるときの間隔の方が小さい。
このように構成された本発明においては、操作部を可動弁体の摺動面に平行な面上に沿ってケーシングの正面側に回動操作した状態で可動弁体が閉弁位置にあるときには、固定弁体の通湯路の湯水連通側縁部と可動弁体の通湯路側縁部との間隔、つまり両者の最短距離を大きく保つことができるため、確実に止水することができ、湯水混合水栓の吐水口からの漏水を防ぐことができる。一方、操作部を可動弁体の摺動面に平行な面上に沿ってケーシングの正面側に回動操作した状態で可動弁体が開弁位置にあるときには、固定弁体の通湯路の湯水連通側縁部と可動弁体の通湯路側縁部との間隔を可能な限り小さくすることができるため、固定弁体の通湯路の流路断面積を大きく設定することができる。したがって、固定弁体の通湯路と可動弁体の湯水連通部とが連通する面積を増大させることができ、固定弁体の通湯路から可動弁体の湯水連通部を流れる湯の流量をさらに増大させることができる。
【００１０】
本発明において、好ましくは、上記固定弁体の通湯路の湯水連通側縁部及び上記可動弁体の通湯路側縁部のそれぞれは、上記可動弁体が上記閉弁位置から上記開弁位置に移動する方向に向って、上記中心軸線に近づくように傾斜している。
このように構成された本発明においては、固定弁体の通湯路の湯水連通側縁部及び可動弁体の通湯路側縁部のそれぞれが、可動弁体が閉弁位置から開弁位置に移動する方向に向って、上記中心軸線に近づくように傾斜していることにより、操作部を可動弁体の摺動面に平行な面上に沿ってケーシングの正面側に回動操作した状態で可動弁体が閉弁位置にあるときには、固定弁体の通湯路の湯水連通側縁部と可動弁体の通湯路側縁部との間隔を大きく保つことができるため、確実に止水することができ、湯水混合水栓の吐水口からの漏水を防ぐことができる。一方、操作部を可動弁体の摺動面に平行な面上に沿ってケーシングの正面側に回動操作した状態で可動弁体が開弁位置にあるときには、固定弁体の通湯路の湯水連通側縁部と可動弁体の通湯路側縁部との間隔を可能な限り小さくすることができるため、固定弁体の通湯路の流路断面積を大きく設定することができる。したがって、固定弁体の通湯路と可動弁体の湯水連通部とが連通する面積を増大させることができ、固定弁体の通湯路から可動弁体の湯水連通部を流れる湯の流量をさらに増大させることができる。
【００１１】
本発明において、好ましくは、上記固定弁体の通湯路の湯水連通側縁部は、上記中心軸線に対して近位側に位置する第１の湯水連通側縁部と、上記中心軸線に対して上記第１の湯水連通側縁部よりも遠位側に位置する第２の湯水連通側縁部と、上記第１の湯水連通側縁部と上記第２の湯水連通側縁部とにより形成される第１の段部と、を備え、上記可動弁体の湯水連通部の通湯路側縁部は、上記中心軸線に対して近位側に位置する第１の通湯路側縁部と、上記中心軸線に対して上記第１の通湯路側縁部よりも遠位側に位置する第２の通湯路側縁部と、上記第１の通湯路側縁部と上記第２の通湯路側縁部とにより形成される第２の段部と、を備えていてもよい。
このように構成された本発明においては、固定弁体の通湯路の湯水連通側縁部が、上記中心軸線に対して近位側に位置する第１の湯水連通側縁部と、上記中心軸線に対して第１の湯水連通側縁部よりも遠位側に位置する第２の湯水連通側縁部とにより形成される第１の段部を備えると共に、可動弁体の湯水連通部の通湯路側縁部が、上記中心軸線に対して近位側に位置する第１の通湯路側縁部と、固定弁体の中心軸に対して第１の通湯路側縁部よりも遠位側に位置する第２の通湯路側縁部とにより形成される第２の段部を備えていることにより、操作部を可動弁体の摺動面に平行な面上に沿ってケーシングの正面側に回動操作した状態で可動弁体が閉弁位置にあるときには、固定弁体の通湯路の湯水連通側縁部と可動弁体の通湯路側縁部との間隔を大きく保つことができる。したがって、確実に止水することができ、湯水混合水栓の吐水口からの漏水を防ぐことができる。一方、操作部を可動弁体の摺動面に平行な面上に沿ってケーシングの正面側に回動操作した状態で可動弁体が開弁位置にあるときには、固定弁体の通湯路の湯水連通側縁部と可動弁体の通湯路側縁部との間隔を可能な限り小さくすることができるため、固定弁体の通湯路の流路断面積を大きく設定することができる。したがって、固定弁体の通湯路と可動弁体の湯水連通部とが連通する面積を増大させることができ、固定弁体の通湯路から可動弁体の湯水連通部を流れる湯の流量をさらに増大させることができる。
【発明の効果】
【００１２】
本発明の湯水混合水栓装置によれば、使用頻度が高い吐水操作位置において湯水混合水栓の吐水口から十分な水の吐水量を確保して水のみを吐水することができる共に、可動弁体を開弁させて湯水を吐水する際に固定弁体の通湯路を流れる湯の流量を増大させることができ、使い勝手が良い。
【図面の簡単な説明】
【００１３】
【図１】本発明の第１実施形態による湯水混合バルブ装置が組み込まれた湯水混合水栓装置を斜め前方から見た概略斜視図である。
【図２】本発明の第１実施形態による湯水混合バルブ装置が組み込まれた湯水混合水栓装置の概略平面図であり、湯のみを吐水させる湯側操作領域、水のみを吐水させる水側操作領域、及び混合湯水を吐水させる湯水混合操作領域を概略的に説明した図である。
【図３】本発明の第１実施形態による湯水混合バルブ装置が組み込まれた湯水混合水栓装置を示す正面断面図である。
【図４】本発明の第１実施形態による湯水混合バルブ装置を示す分解斜視図である。
【図５】本発明の第１実施形態による湯水混合バルブ装置の下側ケーシング部材と固定弁体を示す平面図である。
【図６】本発明の第１実施形態による湯水混合バルブ装置の可動弁体と可動弁体ガイド部材を示す平面図である。
【図７】本発明の第１実施形態による湯水混合バルブ装置を示す側面図であり、操作レバー部材を水側操作領域内の湯水混合操作領域側の操作位置に設定して可動弁体を閉弁させた状態を示す。
【図８】図７のＶＩＩＩ−ＶＩＩＩ線に沿った断面図である。
【図９】図７のＩＸ−ＩＸ線に沿った断面図である。
【図１０】図７のＸ−Ｘ線に沿った断面図である。
【図１１】本発明の第１実施形態による湯水混合バルブ装置を示す側面図であり、操作レバー部材を水側操作領域内の湯水混合操作領域側の操作位置に設定して可動弁体を開弁させた状態を示す。
【図１２】図１１のＸＩＩ−ＸＩＩ線に沿った断面図である。
【図１３】図１１のＸＩＩＩ−ＸＩＩＩ線に沿った断面図である。
【図１４】図１１のＸＩＶ−ＸＩＶ線に沿った断面図である。
【図１５】本発明の第１実施形態による湯水混合バルブ装置を示す側面図であり、操作レバー部材を水側操作領域内の最も水側の操作位置に設定して可動弁体を閉弁させた状態を示す。
【図１６】図１５のＸＶＩ−ＸＶＩ線に沿った断面図である。
【図１７】図１５のＸＶＩＩ−ＸＶＩＩ線に沿った断面図である。
【図１８】図１５のＸＶＩＩＩ−ＸＶＩＩＩ線に沿った断面図である。
【図１９】本発明の第１実施形態による湯水混合バルブ装置を示す側面図であり、操作レバー部材を水側操作領域内の最も水側の操作位置に設定して可動弁体を開弁させた状態を示す。
【図２０】図１９のＸＶＩＩＩ−ＸＶＩＩＩ線に沿った断面図である。
【図２１】図１９のＸＸＩ−ＸＸＩ線に沿った断面図である。
【図２２】図１９のＸＸＩＩ−ＸＸＩＩ線に沿った断面図である。
【図２３】本発明の第１実施形態による湯水混合バルブ装置を示す側面図であり、操作レバー部材を湯側操作領域内の最も湯側の操作位置に設定して可動弁体を閉弁させた状態を示す。
【図２４】図２３のＸＸＩＶ−ＸＸＩＶ線に沿った断面図である。
【図２５】図２３のＸＸＶ−ＸＸＶ線に沿った断面図である。
【図２６】図２３のＸＸＶＩ−ＸＸＶＩ線に沿った断面図である。
【図２７】本発明の第１実施形態による湯水混合バルブ装置を示す側面図であり、操作レバー部材を湯側操作領域内の最も湯側の操作位置に設定して可動弁体を開弁させた状態を示す。
【図２８】図２７のＸＸＶＩＩＩ−ＸＸＶＩＩＩ線に沿った断面図である。
【図２９】図２７のＸＸＩＸ−ＸＸＩＸ線に沿った断面図である。
【図３０】図２７のＸＸＸ−ＸＸＸ線に沿った断面図である。
【図３１】図５に示す本発明の第１実施形態による湯水混合バルブ装置の下側ケーシング部材と固定弁体を示す平面図において、固定弁体の第１の領域と第２の領域を示した図である。
【図３２】本発明の第１実施形態による湯水混合バルブ装置の固定弁体及び可動弁体において、操作レバー部材を水側操作領域、湯側操作領域、又は湯水混合操作領域のいずれかの操作領域内の操作位置に設定して可動弁体を閉弁させた状態の固定弁体の第１〜第４の領域を示した図である。
【図３３】本発明の第１実施形態による湯水混合バルブ装置の固定弁体及び可動弁体において、操作レバー部材を水側操作領域内の湯水混合操作領域側の操作位置に設定して可動弁体を開弁させた状態の固定弁体の第１〜第４の領域を示した図である。
【図３４】本発明の第１実施形態による湯水混合バルブ装置の固定弁体及び可動弁体において、操作レバー部材を湯側操作領域内の最も湯側の操作位置に設定して可動弁体を開弁させた状態の固定弁体の第１〜第４の領域を示した図である。
【図３５】本発明の第２実施形態による湯水混合バルブ装置の下側ケーシング部材及び可動弁体ガイド部材において、操作レバー部材を水側操作領域内の湯水混合操作領域側の操作位置に設定して可動弁体を閉弁させた状態を示す平面図である。
【図３６】本発明の第２実施形態による湯水混合バルブ装置の固定弁体及び可動弁体において、操作レバー部材を水側操作領域内の湯水混合操作領域側の操作位置に設定して可動弁体を閉弁させた状態を示す平面図である。
【図３７】本発明の第２実施形態による湯水混合バルブ装置の固定弁体及び可動弁体において、操作レバー部材を水側操作領域内の湯水混合操作領域側の操作位置に設定して可動弁体を開弁させた状態を示す平面図である。
【図３８】本発明の第２実施形態による湯水混合バルブ装置の固定弁体及び可動弁体において、操作レバー部材を湯側操作領域内の最も湯側の操作位置に設定して可動弁体を開弁させた状態を示す平面図である。
【図３９】本発明の第２実施形態による湯水混合バルブ装置の固定弁体及び可動弁体において、操作レバー部材を水側操作領域内の最も水側の操作位置に設定し可動弁体を開弁させた状態を示す平面図である。
【発明を実施するための形態】
【００１４】
以下、添付図面を参照して本発明の第１実施形態による湯水混合水栓装置について説明する。
まず、図１は、本発明の第１実施形態による湯水混合バルブ装置が組み込まれた湯水混合水栓装置を斜め前方から見た概略斜視図である。
図１に示すように、本発明の第１実施形態による湯水混合バルブ装置１が組み込まれた湯水混合水栓装置２は、給湯源（図示せず）から供給される湯と給水源（図示せず）から供給される水を混合し、１つの操作ハンドル４を操作することにより湯水の流量と温度を調整した湯水をスパウト６の吐水口６ａから吐止水することができる、いわゆる、シングルレバー式の湯水混合水栓装置である。
【００１５】
すなわち、湯水混合水栓装置２は、台所のシンク又は洗面台のカウンター８上に配置され、操作ハンドル４を上方（図１に示されている矢印「開」の方向）に回動操作した場合には、スパウト６の吐水口６ａから吐出される湯水を吐水状態に設定することができるようになっており、操作ハンドル４をより上方に回動させた位置に設定する程、スパウト６の吐水口６ａから吐出される湯水の流量を大きく設定することができるようになっている。
一方、操作ハンドル４を最も下方（図１に示されている矢印「閉」の方向）の位置に回動操作した場合には、スパウト６の吐水口６ａから吐出される湯水を止水状態に設定することができるようになっている。
【００１６】
また、操作ハンドル４を湯水混合水栓装置１の鉛直方向の中心軸線Ａ１を中心に図１の矢印「Ｃ」の水平方向（図１に示されている右側水平方向）に回動操作した場合には、スパウト６の吐水口６ａから吐出される湯水の温度を低温側に設定することができるようになっている。
一方、操作ハンドル４を中心軸線Ａ１を中心に図１の矢印「Ｈ」の水平方向（図１に示されている左側水平方向）に回動操作した場合には、スパウト６の吐水口６ａから吐出される湯水の温度を高温側に設定することができるようになっている。
【００１７】
つぎに、図２は、本発明の第１実施形態による湯水混合バルブ装置が組み込まれた湯水混合水栓装置の概略平面図であり、湯のみを吐水させる湯側操作領域、水のみを吐水させる水側操作領域、及び混合湯水を吐水させる湯水混合操作領域を概略的に説明した図であり、図３は、本発明の第１実施形態による湯水混合バルブ装置が組み込まれた湯水混合水栓装置を示す正面断面図である。
【００１８】
図２に示すように、操作ハンドル４が水平方向に回動操作される操作領域Ｒは、湯側操作領域Ｒ１、水側操作領域Ｒ２及び湯水混合操作領域Ｒ３からなる。
湯側操作領域Ｒ１は、操作ハンドル４を湯側（図１及び図２に示す矢印Ｈの方向）に回動操作した操作位置Ｐ１にあるときに、詳細は後述する湯水混合バルブ装置１の可動弁体１０が、詳細は後述する湯水混合バルブ装置１の固定弁体１２の通湯路１２ａのみを開放し、固定弁体１２の通湯路１２ａから可動弁体１０の湯水連通部１０ａへ湯のみを流入させて湯水混合水栓装置２の吐水口６ａから湯のみを吐水させる操作領域である。
【００１９】
また、水側操作領域Ｒ２は、操作ハンドル４を水側（図１及び図２に示す矢印Ｃの方向）に回動操作した操作位置Ｐ２にあるときに、可動弁体１０が固定弁体１２の通水路１２ｂのみを開放して固定弁体１２の通水路１２ｂから可動弁体１０の湯水連通部１０ａへ水のみを流入させて湯水混合水栓装置２の吐水口６ａから水のみを吐水させる操作領域である。
【００２０】
さらに、湯水混合操作領域Ｒ３は、操作ハンドル４を湯水混合水栓装置２の正面側のほぼ中央の操作位置Ｐ３から湯側操作領域Ｒ１に向って湯側（図１及び図２に示す矢印Ｈの方向）に回動操作したときに、湯側操作領域Ｒ１と水側操作領域Ｒ２との間に位置し且つ可動弁体１０が固定弁体１２の通湯路１２ａ及び通水路１２ｂを開放し、固定弁体１２の通湯路１２ａ及び通水路１２ｂのそれぞれから可動弁体１０の湯水連通部１０ａへ湯と水のそれぞれを流入させて混合した湯水を湯水混合水栓装置２の吐水口６ａから吐水させる操作領域である。
【００２１】
なお、本実施形態においては、水側操作領域Ｒ２内の湯水混合操作領域Ｒ３側の領域が、湯水混合水栓装置２の使用頻度が高い正面側の領域に位置しており、操作ハンドル４が正面側のほぼ中央の操作位置Ｐ３に操作したときにも、湯水混合水栓装置２の吐水口６ａから水のみが吐水されるようになっている。
【００２２】
つぎに、図３〜図３０により、本発明の第１実施形態による湯水混合バルブ装置の詳細について説明する。
まず、図４は、本発明の第１実施形態による湯水混合バルブ装置を示す分解斜視図である。
図４に示すように、本実施形態による湯水混合バルブ装置１は、下方から上方に向って、下側ケーシング部材１４、固定弁体１２、可動弁体１０、可動弁体ガイド部材１６、操作レバー下側保持部材１８、シール部材２０、操作レバー部材２２、上側ケーシング部材２４及び操作レバー上側接続部材２６を備えている。
【００２３】
つぎに、図５は、本発明の第１実施形態による湯水混合バルブ装置の下側ケーシング部材と固定弁体を示す平面図である。
図３〜図５に示すように、下側ケーシング部材１４は、湯水混合水栓装置２の内部に上下方向に延びるように形成されている通湯路２ａ及び通水路２ｂの上端（下流側端部）に接続され、下側ケーシング部材１４の内部には、固定弁体１２が固定されている。
また、固定弁体１２の後側には、可動弁体１０の湯水連通部１０ａ内を通過した湯及び／又は水が通過する湯水混合路１２ｃが形成されている。
さらに、下側ケーシング部材１４内の固定弁体１２の湯水混合路１２ｃの下方且つ下側ケーシング部材１４の後端部１４ａに隣接した部分には、固定弁体１２の湯水混合路１２ｃと連通する下側ケーシング部材１４内の湯水混合路１４ｂが形成されている。
【００２４】
また、図５に示すように、固定弁体１２に形成されている通湯路１２ａ及び通水路１２ｂのそれぞれは、湯水混合水栓装置２内の通湯路２ａ及び通水路２ｂのそれぞれと接続されている。
さらに、図５に示すように、固定弁体１２の通湯路１２ａの最も外側の位置（図５の通湯路１２ａの最も左側の位置）から、固定弁体１２の前後方向に延びる下側ケーシング部材１４の中心軸線Ａ２まで垂線を下ろした位置までの最大距離Ｌ１が、固定弁体１２の通水路１２ｂの最も外側の位置（図５の通水路１２ａの最も右側の位置）から固定弁体１２の中心軸線（下側ケーシング部材１４の中心軸線Ａ２）まで垂線を下ろした位置までの最大距離Ｌ２よりも小さくなるように、固定弁体１２の通湯路１２ａ及び通水路１２ｂが互いに異なる形状に形成され、且つ下側ケーシング部材１４の中心軸線Ａ２に対して互いに非対称に配置されている。
【００２５】
ここで、本実施形態では、下側ケーシング部材１４の中心軸線Ａ２が、固定弁体１２の前後方向に延びる中心軸線とは上下方向に平行であり且つ平面視では一致している形態について説明するが、下側ケーシング部材１４の中心軸線Ａ２については、固定弁体１２の前後方向に延びる中心軸線と互いに完全に一致していてもよいし、互いに平面視で一致していなくてもよい。
また、本実施形態の湯水混合バルブ装置１が通常使用される形態においては、最も使用頻度が高い、使用者が相対する正面位置（操作ハンドル４の操作位置Ｐ３）が前側となり、下側ケーシング部材１４の中心軸線Ａ２は、この使用者が相対する正面位置（前側）から下側ケーシング部材１４の中心Ｏを通って、使用者とは反対側方向（後側）に延びる線となる。
さらに、本実施形態の湯水混合バルブ装置１については、壁面に設置された湯水混合水栓装置に適用してもよく、この場合には、最も使用頻度の高い鉛直方向の下方位置が前側となり、下側ケーシング部材１４の中心軸線Ａ２は、この下方位置（前側）から下側ケーシング１４の中心Ｏを通って鉛直方向上方（後側）に延びる線となる。
【００２６】
また、図５に示すように、下側ケーシング部材１４の内周側の後端部１４ａに隣接した部分であり且つ固定弁体１２よりも上方部分には、固定弁体１２に対する可動弁体１０の摺動及び回転をガイドするためのガイド手段であるガイド用突起２８が内方に突出するように形成されている。このガイド用突起２８の中心軸線２８ａは、固定弁体１２の前後方向に延びる下側ケーシング部材１４の中心軸線Ａ２の方向に対して水平面内において所定角度αだけ傾いた方向に設定されている。
さらに、この中心軸線Ａ２は、下側ケーシング部材１４の中心Ｏと固定弁体１２の通水路１２ｂの湯側端部１２ｄの近傍を通過している。さらに、下側ケーシング部材１４の中心Ｏの上方には、詳細は後述する可動弁体ガイド部材１６の取付穴１６ａに取り付けられている止水状態における操作レバー部材２２の接続部２２ａの中心点が位置している。すなわち、中心軸線Ａ２は、操作レバー部材２２の接続部２２ａの中心点を中心Ｏに投影させた点と固定弁体１２の通水路１２ｂの湯側端部１２ｄの近傍とを通過している。
【００２７】
つぎに、図６は、本発明の第１実施形態による湯水混合バルブ装置の可動弁体と可動弁体ガイド部材を示す平面図である。
図３、図４及び図６に示すように、固定弁体１２上には、可動弁体１０が摺動可能且つ回転可能に設けられている。
また、可動弁体１０上には、固定弁体１２に対する可動弁体１０の摺動及び回転をガイドするための可動弁体ガイド部材１６が固定されている。この可動弁体ガイド部材１６には、可動弁体１０と共に下側ケーシング部材１４内に取り付けられた状態で、下側ケーシング部材１４のガイド用突起２８が挿入されて嵌合可能なガイド手段であるガイド溝３０が形成されている。
なお、本実施形態では、一例として、可動弁体１０と可動弁体ガイド部材１６は、互いに別部材となっているが、可動弁体１０と可動弁体ガイド部材１６を互いに一体的に形成し、一部材としてもよい。
【００２８】
さらに、図３、図４及び図６に示すように、可動弁体ガイド部材１６のほぼ中央部には、操作レバー部材２２の下端部にほぼ半球形状に形成された接続部２２ａが挿入して取り付けられる取付穴１６ａを形成し且つ上方に突出する円筒状の突起部１６ｂが設けられている。
操作レバー部材２２の長手方向の中心軸線Ａ３が鉛直方向に延びた湯水混合水栓装置２の中心軸線Ａ１と一致し、操作レバー部材２２が起立した状態では、可動弁体１０が閉弁した状態となり、固定弁体１２の通湯路１２ａ及び通水路１２ｂの双方が閉鎖された状態になるようになっている。
ここで、図３に示すように可動弁体１０の下面は、固定弁体１２の上面に沿って摺動する摺動面１０ｂとなっており、この摺動面１０ｂに対して垂直な面内で操作レバー部材２２を操作することにより、可動弁体１０の開閉動作が可能となっている。
【００２９】
また、この可動弁体１０が閉弁した状態では、操作レバー部材２２をその中心軸線Ａ３回りに回転させると、操作レバー部材２２の接続部２２ａが可動弁体ガイド部材１６の取付穴１６ａに対して空回りするように、可動弁体ガイド部材１６の取付穴１６ａの平面断面Ｓ１（図６参照）は、操作レバー部材２２の接続部２２ａのほぼ半球形状に対応してほぼ円形の断面形状に形成されている。
一方、操作レバー部材２２の長手方向の中心軸線Ａ３が、上下方向に延びた湯水混合水栓装置２の中心軸線Ａ１に対して所定方向に傾いた状態では、操作レバー部材２２のほぼ半球形状の接続部２２ａが可動弁体ガイド部材１６の取付穴１６ａを所定の水平方向に押圧し、可動弁体１０が可動弁体ガイド部材１６と共に固定弁体１２に対して回転を伴って移動し、可動弁体１０が開弁した状態となり、固定弁体１２の通湯路１２ａ及び通水路１２ｂの少なくとも一方が開放された状態になるようになっている。
【００３０】
また、図４に示すように、操作レバー部材２２と可動弁体ガイド部材１６との間には、操作レバー保持部材１８が介在して設けられている。
操作レバー保持部材１８の中央部には、操作レバー部材２２の接続部２２ａの上方に矩形状に形成された嵌合部２２ｂが挿入されて嵌合される嵌合長穴１８ａが形成され、操作レバー部材２２による可動弁体１０の開閉操作を行っているときには、操作レバー部材２２の嵌合部２２ｂが嵌合長穴１８ａに沿って移動することができるようになっている。
さらに、操作レバー保持部材１８は、操作レバー部材２２をその長手方向の中心軸線Ａ３を中心に所定の回転角度の範囲で回転させたときに、操作レバー部材２２と一体的に所定の回転角度の範囲で回転可能となっている。
【００３１】
図４に示すシール部材２０は、操作レバー部材２２の嵌合部２２ｂよりも上方にボール状に形成された操作レバー部材２２のボール部２２ｃと、上側ケーシング部材２４のほぼ中央部に形成された取付穴２４ａとの間に取り付けられ、上側ケーシング部材２４の内部と外部とを液密的にシールするようになっている。
また、図３及び図４に示す操作レバー上側接続部材２６は、操作レバー部材２２の上方に取り付けられて状態で上方から操作ハンドル４の接続部４ａが取り付けられるようになっている。
【００３２】
つぎに、図７は、本発明の第１実施形態による湯水混合バルブ装置を示す側面図であり、操作レバー部材を水側操作領域内の湯水混合操作領域側の操作位置に設定して可動弁体を閉弁させた状態を示す。
また、図８は、図７のＶＩＩＩ−ＶＩＩＩ線に沿った断面図であり、図９は、図７のＩＸ−ＩＸ線に沿った断面図であり、図１０は、図７のＸ−Ｘ線に沿った断面図である。
【００３３】
図１、図２及び図７に示すように、操作レバー部材２２を水側操作領域Ｒ２内の湯水混合操作領域Ｒ３側の操作位置Ｐ３に設定して可動弁体１０を閉弁させた状態では、操作レバー部材２２の長手方向の中心軸線Ａ３が、鉛直方向に延びた湯水混合水栓装置２の中心軸線Ａ１と一致し、操作レバー部材２２が起立した状態となっている。
【００３４】
また、図８に示すように、操作レバー保持部材１８の嵌合長穴１８ａの下方には、操作レバー保持部材１８の下方の中央部から後方に延びる長円形の断面形状のガイド用の長穴１８ｂが形成され、この操作レバー保持部材１８のガイド用の長穴１８ｂにより、可動弁体ガイド部材１６の円筒状の突起部１６ｂがガイドされるようになっている。
さらに、操作レバー部材２２を水側操作領域Ｒ２内の湯水混合操作領域Ｒ３側の操作位置Ｐ３に設定して可動弁体１０を閉弁させた状態では、可動弁体ガイド部材１６の円筒状の突起部１６ｂの外周面の後側領域の一部が操作レバー保持部材１８のガイド穴１８ｂの内周面の後側領域と当接するようになっている。
【００３５】
また、図１、図２、図９及び図１０に示すように、操作レバー部材２２を水側操作領域Ｒ２内の湯水混合操作領域Ｒ３側の操作位置Ｐ３に設定して可動弁体１０を閉弁させた状態では、可動弁体ガイド部材１６及びその下方の可動弁体１０が下側ケーシング部材１４内において全体的に最も後方側に位置し、可動弁体１０が固定弁体１２の通湯路１２ａ及び通水路１２ｂの双方を閉鎖するようになっている。このとき、下側ケーシング部材１４のガイド用突起２８は、図９に示すように、可動弁体ガイド部材１６のガイド溝３０のほぼ全域に亘って挿入されて嵌合されるようになっている。
【００３６】
つぎに、図１１は、本発明の第１実施形態による湯水混合バルブ装置を示す側面図であり、操作レバー部材を水側操作領域内の湯水混合操作領域側の操作位置に設定して可動弁体を開弁させた状態を示す。
また、図１２は、図１１のＸＩＩ−ＸＩＩ線に沿った断面図であり、図１３は、図１１のＸＩＩＩ−ＸＩＩＩ線に沿った断面図であり、図１４は、図１１のＸＩＶ−ＸＩＶ線に沿った断面図である。
【００３７】
図１、図２及び図１１に示すように、操作レバー部材２２を水側操作領域Ｒ２内の湯水混合操作領域Ｒ３側の操作位置Ｐ３に設定して可動弁体１０を開弁させた状態では、操作レバー部材２２の長手方向の中心軸線Ａ３が、鉛直方向に延びた湯水混合水栓装置２の中心軸線Ａ１に対して後方側に所定角度βだけ傾いた状態となっている。
【００３８】
また、図１、図２及び図１２に示すように、操作レバー部材２２を水側操作領域Ｒ２内の湯水混合操作領域Ｒ３側の操作位置Ｐ３に設定して可動弁体１０を開弁させた状態では、可動弁体ガイド部材１６の円筒状の突起部１６ｂが操作レバー部材２２の接続部２２ａにより前方側へ押圧され、可動弁体ガイド部材１６の円筒状の突起部１６ｂの外周面の前側領域が操作レバー保持部材１８のガイド穴１８ｂの内周面の前側領域と当接するようになっている。
【００３９】
このとき、図１３及び図１４に示すように、可動弁体ガイド部材１６及びその下方の可動弁体１０は、下側ケーシング部材１４内において全体的に最も前方側に位置し、可動弁体１０が固定弁体１２の通湯路１２ａを閉鎖した状態を維持し、固定弁体１２の通水路１２ｂのみを部分的に開放するようになっている。また、この部分的に開放された固定弁体１２の通水路１２ｂから可動弁体１０の湯水連通部１０ｃを通過した水は、固定弁体１２の湯水混合路１２ｃから下側ケーシング部材１４の湯水混合路１４ｂを流れるようになっている。
【００４０】
また、図１３においては、図９に示されている閉弁状態の可動弁体１０に取り付けられている可動弁体ガイド部材１６の輪郭を鎖線１６’で示しており、閉弁状態から開弁状態への移行中における可動弁体１０に取り付けられている可動弁体ガイド部材１６の輪郭を鎖線１６’’で示している。図１３に示すように、閉弁状態の可動弁体１０の可動弁体ガイド部材１６’が開弁状態の可動弁体１０の可動弁体ガイド部材１６に至るまでには、可動弁体ガイド部材１６のガイド溝３０の一部が、下側ケーシング部材１４のガイド用突起２８に当接しながら、全体的に前方側へ移動すると共に、図１３に矢印Ｂ１で示されている方向の水平面内の回転を伴って、固定弁体１２の通水路１２ａの開口断面積を増加させる方向に移動し、且つ固定弁体１２の前後方向に延びる下側ケーシング部材１４の中心軸線Ａ２に対して可動弁体ガイド部材１６を上方から見て相対的に湯側（固定弁体１２の通湯路１２ａ側）に移動するようになっている。
【００４１】
さらに、図１４においては、図１０に示されている閉弁状態の可動弁体１０の輪郭を鎖線１０’で示しており、閉弁状態から開弁状態への移行中の可動弁体１０の輪郭を鎖線１０’’で示している。図１４に示すように、閉弁状態の可動弁体１０’が開弁状態の可動弁体１０に至るまでには、可動弁体１０が固定弁体１２の通湯路１２ａを閉鎖した状態を維持しながら、可動弁体１０の湯水連通部１０ａが固定弁体１２に対して全体的に前方側へ摺動すると共に、図１４に矢印Ｂ２で示されている方向の水平面内の回転を伴って、湯側（固定弁体１２の通湯路１２ａ側）に相対的に移動するようになっている。
【００４２】
つぎに、図１５は、本発明の第１実施形態による湯水混合バルブ装置を示す側面図であり、操作レバー部材を水側操作領域内の最も水側の操作位置に設定して可動弁体を閉弁させた状態を示す。
また、図１６は、図１５のＸＶＩ−ＸＶＩ線に沿った断面図であり、図１７は、図１５のＸＶＩＩ−ＸＶＩＩ線に沿った断面図であり、図１８は、図１５のＸＶＩＩＩ−ＸＶＩＩＩ線に沿った断面図である。
【００４３】
図１、図２及び図１５に示すように、操作レバー部材２２を水側操作領域Ｒ２内の最も水側の操作位置Ｐ２に設定して可動弁体１０を閉弁させた状態では、操作レバー部材２２の長手方向の中心軸線Ａ３が、鉛直方向に延びた湯水混合水栓装置２の中心軸線Ａ１と一致し、操作レバー部材２２が起立した状態となっている。
また、図１５においては、図７に示す操作レバー上側接続部材２６の前面２６ａとこの操作レバー上側接続部材２６が取り付けられる操作レバー部材２２の取付部２２ｄの前面２２ｅが、これらの中心軸線Ａ３を中心にその上方から見て左回りに所定角度γだけ回転した状態となっている。
【００４４】
さらに、図１６に示すように、操作レバー保持部材１８は、操作レバー部材２２と一体的にその中心軸線Ａ３を中心に所定角度γだけ回転するようになっており、図１６に示す操作レバー保持部材１８のガイド用の長穴１８ｂの長手方向が、下側ケーシング部材１４の前後方向に延びる中心軸線Ａ２に対して所定角度γだけ傾いている。
また、可動弁体１０が閉弁した状態では、操作レバー部材２２をその中心軸線Ａ３回りに回転させたとしても、操作レバー部材２２の接続部２２ａが可動弁体ガイド部材１６の取付穴１６ａに対して空回りするため、可動弁体１０及び可動弁体ガイド部材１６は中心軸線Ａ３回りに回転しないようになっている。さらに、可動弁体ガイド部材１６の円筒状の突起部１６ｂの外周面における図１６の左斜め後方側領域の一部が操作レバー保持部材１８のガイド穴１８ｂの内周面における図１６の左斜め後方側領域と当接するようになっている。
【００４５】
すなわち、図１、図２、図１７及び図１８に示すように、操作レバー部材２２を水側操作領域Ｒ２内の最も水側の操作位置Ｐ２に設定して可動弁体１０を閉弁させた状態では、図９及び図１０に示す操作レバー部材２２を水側操作領域Ｒ２内の湯水混合操作領域Ｒ３側の操作位置Ｐ３に設定して可動弁体１０を閉弁させた状態と同様に、可動弁体ガイド部材１６及びその下方の可動弁体１０が下側ケーシング部材１４内において全体的に最も後方側に位置し、可動弁体１０が固定弁体１２の通湯路１２ａ及び通水路１２ｂの双方を閉鎖するようになっている。
【００４６】
つぎに、図１９は、本発明の第１実施形態による湯水混合バルブ装置を示す側面図であり、操作レバー部材を水側操作領域内の最も水側の操作位置に設定して可動弁体を開弁させた状態を示す。
また、図２０は、図１９のＸＶＩＩＩ−ＸＶＩＩＩ線に沿った断面図であり、図２１は、図１９のＸＸＩ−ＸＸＩ線に沿った断面図であり、図２２は、図１９のＸＸＩＩ−ＸＸＩＩ線に沿った断面図である。
【００４７】
図１、図２及び図１９に示すように、操作レバー部材２２を水側操作領域Ｒ２内の最も水側の操作位置Ｐ２に設定して可動弁体１０を開弁させた状態では、操作レバー部材２２の長手方向の中心軸線Ａ３が、鉛直方向に延びた湯水混合水栓装置２の中心軸線Ａ１に対して斜め後方側に所定角度δだけ傾いた状態となっている。
【００４８】
また、図１、図２及び図２０に示すように、操作レバー部材２２を水側操作領域Ｒ２内の最も水側の操作位置Ｐ２に設定して可動弁体１０を開弁させた状態では、可動弁体ガイド部材１６の円筒状の突起部１６ｂが、操作レバー部材２２の接続部２２ａにより図２０の正面側から見て右斜め前方側へ押圧され、操作レバー保持部材１８のガイド用の長穴１８ｂにより、下側ケーシング部材１４の前後方向に延びる中心軸線Ａ２から所定角度γの方向に移動し、可動弁体ガイド部材１６の円筒状の突起部１６ｂの外周面の図２０の正面側から見て右斜め前方側領域が、操作レバー保持部材１８のガイド穴１８ｂの内周面の右斜め前方側領域と当接するようになっている。
なお、図２０においては、図１７に示す操作レバー部材２２を水側操作領域Ｒ２内の最も水側の操作位置Ｐ２に設定して可動弁体１０を閉弁させた状態の可動弁体ガイド部材１６の突起部１６ｂの輪郭を鎖線１６ｂ’で示している。
【００４９】
つぎに、図２１及び図２２に示すように、可動弁体ガイド部材１６及びその下方の可動弁体１０は、下側ケーシング部材１４内において全体的に図２１及び図２２の右斜め前方側に位置し、可動弁体１０が固定弁体１２の通湯路１２ａを閉鎖した状態を維持し、固定弁体１２の通水路１２ｂのみを部分的に開放するようになっている。また、この部分的に開放された固定弁体１２の通水路１２ｂから可動弁体１０の湯水連通部１０ｃを通過した水は、固定弁体１２の湯水混合路１２ｃから下側ケーシング部材１４の湯水混合路１４ｂを流れるようになっている。
【００５０】
また、図２１においては、図１７に示されている閉弁状態の可動弁体１０に取り付けられている可動弁体ガイド部材１６の輪郭を鎖線１６’で示しており、閉弁状態から開弁状態への移行中における可動弁体１０に取り付けられている可動弁体ガイド部材１６の輪郭を鎖線１６’’で示している。図２１に示すように、閉弁状態の可動弁体１０の可動弁体ガイド部材１６’が開弁状態の可動弁体１０の可動弁体ガイド部材１６に至るまでには、可動弁体ガイド部材１６のガイド溝３０の一部が、下側ケーシング部材１４のガイド用突起２８に当接しながら、全体的に図２１の正面側から見て右斜め前方側へ移動すると共に、図２１に矢印Ｄ１で示されている方向の水平面内の回転を伴って、固定弁体１２の前後方向に延びる下側ケーシング部材１４の中心軸線Ａ２に対して可動弁体ガイド部材１６を上方から見て相対的に水側（固定弁体１２の通水路１２ｂ側）に移動するようになっている。
【００５１】
さらに、図２２においては、図１８に示されている閉弁状態の可動弁体１０の輪郭を鎖線１０’で示しており、閉弁状態から開弁状態への移行中の可動弁体１０の輪郭を鎖線１０’’で示している。図２２に示すように、閉弁状態の可動弁体１０’が開弁状態の可動弁体１０に至るまでには、可動弁体１０が固定弁体１２の通湯路１２ａを閉鎖した状態を維持しながら、可動弁体１０の湯水連通部１０ａが固定弁体１２に対して全体的に図２２の正面側から見て右斜め前方側へ摺動すると共に、図２２に矢印Ｄ２で示されている方向の水平面内の回転を伴って、水側（固定弁体１２の通水路１２ｂ側）に相対的に移動するようになっている。
【００５２】
つぎに、図２３は、本発明の第１実施形態による湯水混合バルブ装置を示す側面図であり、操作レバー部材を湯側操作領域内の最も湯側の操作位置に設定して可動弁体を閉弁させた状態を示す。
また、図２４は、図２３のＸＸＩＶ−ＸＸＩＶ線に沿った断面図であり、図２５は、図２３のＸＸＶ−ＸＸＶ線に沿った断面図であり、図２６は、図２３のＸＸＶＩ−ＸＸＶＩ線に沿った断面図である。
【００５３】
図１、図２及び図２３に示すように、操作レバー部材２２を湯側操作領域Ｒ１内の最も湯側の操作位置Ｐ１に設定して可動弁体１０を閉弁させた状態では、操作レバー部材２２の長手方向の中心軸線Ａ３が、鉛直方向に延びた湯水混合水栓装置２の中心軸線Ａ１と一致し、操作レバー部材２２が起立した状態となっている。
また、図２３においては、図７に示す操作レバー上側接続部材２６の前面２６ａとこの操作レバー上側接続部材２６が取り付けられる操作レバー部材２２の取付部２２ｄの前面２２ｅが、これらの中心軸線Ａ３を中心にその上方から見て右回りに所定角度εだけ回転した状態となっている。
【００５４】
さらに、図２４に示すように、操作レバー保持部材１８は、操作レバー部材２２と一体的にその中心軸線Ａ３を中心に所定角度εだけ回転するようになっており、図２４に示す操作レバー保持部材１８のガイド用の長穴１８ｂの長手方向が、下側ケーシング部材１４の前後方向に延びる中心軸線Ａ２に対して所定角度εだけ傾いている。
また、可動弁体１０が閉弁した状態では、操作レバー部材２２をその中心軸線Ａ３回りに回転させたとしても、操作レバー部材２２の接続部２２ａが可動弁体ガイド部材１６の取付穴１６ａに対して空回りするため、可動弁体１０及び可動弁体ガイド部材１６は中心軸線Ａ３回りに回転しないようになっている。
さらに、可動弁体ガイド部材１６の円筒状の突起部１６ｂの外周面における図２４の正面側から見て左斜め後方側領域及び右斜め前方側領域の一部が、操作レバー保持部材１８のガイド穴１８ｂの内周面における図２４の正面側から見て左斜め後方側領域及び右斜め前方側領域の一部とそれぞれ当接するようになっている。
【００５５】
すなわち、図１、図２、図２５及び図２６に示すように、操作レバー部材２２を湯側操作領域Ｒ１内の最も湯側の操作位置Ｐ１に設定して可動弁体１０を閉弁させた状態では、図９及び図１０に示す操作レバー部材２２を水側操作領域Ｒ２内の湯水混合操作領域Ｒ３側の操作位置Ｐ３に設定して可動弁体１０を閉弁させた状態や、図１７及び図１８に示す操作レバー部材２２を水側操作領域Ｒ２内の最も水側の操作位置Ｐ２に設定して可動弁体１０を閉弁させた状態と同様に、可動弁体ガイド部材１６及びその下方の可動弁体１０が下側ケーシング部材１４内において全体的に最も後方側に位置し、可動弁体１０が固定弁体１２の通湯路１２ａ及び通水路１２ｂの双方を閉鎖するようになっている。
【００５６】
つぎに、図２７は、本発明の第１実施形態による湯水混合バルブ装置を示す側面図であり、操作レバー部材を湯側操作領域内の最も湯側の操作位置に設定して可動弁体を開弁させた状態を示す。
また、図２８は、図２７のＸＸＶＩＩＩ−ＸＸＶＩＩＩ線に沿った断面図であり、図２９は、図２７のＸＸＩＸ−ＸＸＩＸ線に沿った断面図であり、図３０は、図２７のＸＸＸ−ＸＸＸ線に沿った断面図である。
【００５７】
図１、図２及び図２７に示すように、操作レバー部材２２を湯側操作領域Ｒ２内の最も湯側の操作位置Ｐ１に設定して可動弁体１０を開弁させた状態では、操作レバー部材２２の長手方向の中心軸線Ａ３が、鉛直方向に延びた湯水混合水栓装置２の中心軸線Ａ１に対して斜め後方側に所定角度ζだけ傾いた状態となっている。
【００５８】
また、図１、図２及び図２８に示すように、操作レバー部材２２を湯側操作領域Ｒ２内の最も湯側の操作位置Ｐ１に設定して可動弁体１０を開弁させた状態では、可動弁体ガイド部材１６の円筒状の突起部１６ｂが、操作レバー部材２２の接続部２２ａにより図２８の左斜め前方側へ押圧され、操作レバー保持部材１８のガイド用の長穴１８ｂにより、下側ケーシング部材１４の前後方向に延びる中心軸線Ａ２から所定角度εの方向に移動し、可動弁体ガイド部材１６の円筒状の突起部１６ｂの外周面における図２８の正面側から見て左斜め前方側領域が、操作レバー保持部材１８のガイド穴１８ｂの内周面における図２８の正面側から見て左斜め前方側領域と当接するようになっている。
なお、図２８においては、図２４に示す操作レバー部材２２を湯側操作領域Ｒ１内の最も湯側の操作位置Ｐ１に設定して可動弁体１０を閉弁させた状態の可動弁体ガイド部材１６の突起部１６ｂの輪郭を鎖線１６ｂ’で示している。
【００５９】
つぎに、図２９及び図３０に示すように、可動弁体ガイド部材１６及びその下方の可動弁体１０は、下側ケーシング部材１４内において全体的に図２９及び図３０の正面側から見て左斜め前方側に位置し、可動弁体１０が固定弁体１２の通水路１２ｂを閉鎖した状態を維持し、固定弁体１２の通湯路１２ａのみを部分的に開放するようになっている。また、この部分的に開放された固定弁体１２の通湯路１２ａから可動弁体１０の湯水連通部１０ｃを通過した湯は、固定弁体１２の湯水混合路１２ｃから下側ケーシング部材１４の湯水混合路１４ｂを流れるようになっている。
【００６０】
また、図２９においては、図２５に示されている閉弁状態の可動弁体１０に取り付けられている可動弁体ガイド部材１６の輪郭を鎖線１６’で示しており、閉弁状態から開弁状態への移行中における可動弁体１０に取り付けられている可動弁体ガイド部材１６の輪郭を鎖線１６’’で示している。図２５に示すように、閉弁状態の可動弁体１０の可動弁体ガイド部材１６’が開弁状態の可動弁体１０の可動弁体ガイド部材１６に至るまでには、可動弁体ガイド部材１６のガイド溝３０の一部が、下側ケーシング部材１４のガイド用突起２８に当接しながら、全体的に図２５の正面側から見て左斜め前方側へ移動すると共に、図２９に矢印Ｅ１で示されている方向の水平面内の回転を伴って、固定弁体１２の前後方向に延びる下側ケーシング部材１４の中心軸線Ａ２に対して可動弁体ガイド部材１６を上方から見て相対的に湯側（固定弁体１２の通湯路１２ａ側）に移動するようになっている。
【００６１】
さらに、図３０においては、図２６に示されている閉弁状態の可動弁体１０の輪郭を鎖線１０’で示しており、閉弁状態から開弁状態への移行中の可動弁体１０の輪郭を鎖線１０’’で示している。図３０に示すように、閉弁状態の可動弁体１０’が開弁状態の可動弁体１０に至るまでには、可動弁体１０が固定弁体１２の通水路１２ｂを閉鎖した状態を維持しながら、可動弁体１０の湯水連通部１０ａが固定弁体１２に対して全体的に図２２の正面側から見て左斜め前方側へ摺動すると共に、図３０に矢印Ｅ２で示されている方向の水平面内の回転を伴って、湯側（固定弁体１２の通湯路１２ａ側）に相対的に移動するようになっている。
【００６２】
つぎに、図１、図２及び図３１〜図３４を参照して、本発明の第１実施形態による湯水混合バルブ装置の固定弁体と可動弁体との関係について詳細に説明する。
まず、図３１は、図５に示す本発明の第１実施形態による湯水混合バルブ装置の下側ケーシング部材と固定弁体を示す平面図において、固定弁体の第１の領域と第２の領域を示した図である。つぎに、図３２は、本発明の第１実施形態による湯水混合バルブ装置の固定弁体及び可動弁体において、操作レバー部材を水側操作領域、湯側操作領域、又は湯水混合操作領域のいずれかの操作領域内の操作位置に設定して可動弁体を閉弁させた状態の固定弁体の第１〜第４の領域を示した図である。また、図３３は、本発明の第１実施形態による湯水混合バルブ装置の固定弁体及び可動弁体において、操作レバー部材を水側操作領域内の湯水混合操作領域側の操作位置に設定して可動弁体を開弁させた状態の固定弁体の第１〜第４の領域を示した図である。さらに、図３４は、本発明の第１実施形態による湯水混合バルブ装置の固定弁体及び可動弁体において、操作レバー部材を湯側操作領域内の最も湯側の操作位置に設定して可動弁体を開弁させた状態の固定弁体の第１〜第４の領域を示した図である。
【００６３】
まず、図３１に示すように、固定弁体１２は、その通水路１２ｂにおいて下側ケーシング部材１４の中心Ｏ側に形成される内側縁部３２、固定弁体１２の前後方向に延びる下側ケーシング部材１４の中心軸線Ａ２、及び通水路１２ｂの内側縁部３２の後端３２ａから中心軸線Ａ２に下ろした垂線Ｖ１によって取り囲まれるように形成される第１の領域ｒ１と、この第１の領域ｒ１に対して下側ケーシング部材１４の中心軸線Ａ２を対称軸として対称に形成される第２の領域ｒ２とを備えている。そして、固定弁体の通湯路１２ａの一部の領域ｈ１が、第２の領域ｒ２内に存在している。
【００６４】
つぎに、図３２〜図３４に示すように、可動弁体１０の湯水連通部１０ａは、固定弁体１２の通水路１２ｂ側に形成される通水路側縁部３４と、この通水路側縁部３４と対向するように固定弁体１２の通湯路１２ａ側に形成される通湯路側縁部３６とを備えている。
また、固定弁体１２は、可動弁体１０の湯水連通部１０ａの通水路側縁部３４、下側ケーシング部材１４の中心軸線Ａ２、及び通水路１２ｂの内側縁部３２の後端３２ａから中心軸線Ａ２に下ろした垂線Ｖ１によって取り囲まれるように形成される第３の領域ｒ３と、この第３の領域ｒ３に対して下側ケーシング部材１４の中心軸線Ａ２を対称軸として対称に形成される第４の領域ｒ４とを備えている。そして、可動弁体１０の湯水連通部１０ａの通湯路側縁部３６の一部が第４の領域ｒ４内に存在している。
これにより、固定弁体１２の通湯路１２ａと通水路１２ｂとを下側ケーシング部材１４の中心軸線Ａ２に対して互いに対称に配置することなく、固定弁体１２の通湯路１２ａを下側ケーシング部材１４の中心軸線Ａ２側に寄せて配置されている。したがって、固定弁体１２の通湯路１２ａを下側ケーシング部材１４の中心軸線Ａ２側に寄せて配置されていない場合に比べて、可動弁体１０を開弁させて湯水を吐水する際に固定弁体１２の通湯路１２ａを流れる湯の流量を増大させることができるようになっている。
【００６５】
つぎに、図１、図２及び図３１〜図３３に示すように、固定弁体１２の通湯路１２ａは、可動弁体１０の湯水連通部１０ａ側に形成される内側縁部３８を備えている。また、操作ハンドル４を使用頻度が高い正面側のほぼ中央の操作位置Ｐ３に操作した状態で可動弁体１０の開閉操作を行った場合において、可動弁体１０の閉弁位置及び開弁位置のそれぞれをＰ４、Ｐ５とする。可動弁体１０が開弁位置Ｐ５（図３３参照）にあるときに、固定弁体１２の通湯路１２ａの内側縁部３８と可動弁体１０の湯水連通部１０ａの通湯路側縁部３６とが互いに最も接近している部分の間隔ｄ１は、可動弁体１０が閉弁位置Ｐ４（図３２参照）にあるときに、固定弁体１２の通湯路１２ａの内側縁部３８と可動弁体１０の湯水連通部１０ａの通湯路側縁部３６とが互いに最も接近している部分の間隔ｄ２よりも小さくなるように設定されている。
【００６６】
また、図３２及び図３３に示すように、固定弁体１２の通湯路１２ａの内側縁部３８及び可動弁体１０の湯水連通部１０ａの通湯路側縁部３６のそれぞれは、可動弁体１０が閉弁位置Ｐ４（図３２参照）から開弁位置Ｐ５（図３３参照）に移動する方向に向って、或いは、可動弁体１０の後方から前方に向って、下側ケーシング部材１４の中心軸線Ａ２に近づくように傾斜している。
これらにより、可動弁体１０が閉弁位置Ｐ４（図３２参照）にあるときには、固定弁体１２の通湯路１２ａの内側縁部３８と可動弁体１０の湯水連通部１０ａの通湯路側縁部３６との間隔を大きく保つことができるため、確実に止水することができ、湯水混合水栓装置２のスパウト６の吐水口６ａからの漏水を防ぐことができるようになっている。
一方、操作ハンドル４を使用頻度が高い正面側のほぼ中央の操作位置Ｐ３に操作した状態で、可動弁体１０が開弁位置Ｐ５（図３３参照）にあるときには、固定弁体１２の通湯路１２ａの内側縁部３８と可動弁体１０の湯水連通部１０ａの通湯路側縁部３６との間隔を可能な限り小さくすることができ、固定弁体１２の通湯路１２ａの流路断面積を大きく設定することができるようになっている。したがって、可動弁体１０が開弁位置Ｐ５（図３３参照）にあるときに、図２及び図３４に示すように、操作ハンドル４を正面側のほぼ中央の操作位置Ｐ３から湯側の操作位置Ｐ１側へ回動操作したときには、固定弁体１２の通湯路１２ａと可動弁体１０の湯水連通部１０ａとが連通する面積を増大させることもでき、固定弁体１２の通湯路１２ａから可動弁体１０の湯水連通部１０ａを流れる湯の流量をさらに増大させることができるようになっている。
【００６７】
さらに、図１、図２、図３１及び図３２に示すように、可動弁体１０が閉弁位置Ｐ４にある状態で操作ハンドル４を中心軸線Ａ１を中心に回動操作した場合には、上述したように、操作レバー部材２２の接続部２２ａが可動弁体ガイド部材１６の取付穴１６ａに対して空回りするため（図４及び図６参照）、可動弁体１０が固定弁体１２に対して摺動したり、回転したりすることはないため、閉弁時の可動弁体１０が、操作ハンドル４の回動操作によって固定弁体１２の通湯路１２ａ及び通水路１２ｂを開放するのを防ぐことができるようになっている。
一方、可動弁体１０が水側の開弁位置Ｐ５にある状態（図３３参照）や、可動弁体１０が湯側の開弁位置Ｐ６にある状態（図３４参照）で操作ハンドル４を中心軸線Ａ１を中心に回動操作したりした場合には、可動弁体１０が固定弁体１２に対して摺動回転するようになっている。
これらにより、可動弁体１０が閉弁位置Ｐ４にある状態では、可動弁体１０が開弁位置Ｐ５，Ｐ６にある状態に比べて固定弁体１２に対する可動弁体１０の摺動範囲が規制されるようになっているため、固定弁体１２に対する可動弁体１０の摺動範囲を開弁時よりも規制していない状態に比べて、固定弁体１２の通湯路１２ａ及び通水路１２ｂのそれぞれの流路を大きく設定することができるようになっている。
【００６８】
つぎに、上述した本発明の第１実施形態による湯水混合バルブ装置１の動作（作用）について説明する。
湯水混合水栓装置２を使用する際、図１及び図２に示すように、湯水混合水栓装置２の操作ハンドル４をその中心軸線Ａ１回りに回転操作し、使用頻度が高い湯水混合水栓装置２の正面側のほぼ中央の操作位置Ｐ３に設定し、操作ハンドル４を矢印「開」の方向に操作した場合には、図１１〜図１４に示すように、湯水混合バルブ装置１の操作レバー部材２２の操作により、可動弁体１０が固定弁体１２に対して湯側への回転を伴って摺動し、固定弁体１２の通湯路１２ａを閉鎖した状態を維持しながら、固定弁体１２の通水路１２ｂのみを開放する。そして、固定弁体１２の通水路１２ｂから可動弁体１０の湯水連通部１０ａを通過した水は、固定弁体１２の湯水混合路１２ｃを経て、湯水混合水栓装置２のスパウト６の吐水口６ａから吐水される。
【００６９】
また、操作ハンドル４を水側（図１及び図２に示す矢印Ｃの方向）に回動操作して操作位置Ｐ２に設定し、操作ハンドル４を矢印「開」の方向に操作した場合には、図１９〜図２２に示すように、湯水混合バルブ装置１の操作レバー部材２２の操作により、可動弁体１０が固定弁体１２に対して水側への回転を伴って摺動し、固定弁体１２の通湯路１２ａを閉鎖した状態を維持しながら、固定弁体１２の通水路１２ｂのみを開放する。そして、固定弁体１２の通水路１２ｂから可動弁体１０の湯水連通部１０ａを通過した水が、固定弁体１２の湯水混合路１２ｃを経て、湯水混合水栓装置２のスパウト６の吐水口６ａから吐水される。
【００７０】
さらに、操作ハンドル４を湯側（図１及び図２に示す矢印Ｈの方向）に回動操作して操作位置Ｐ１に設定し、操作ハンドル４を矢印「開」の方向に操作した場合には、図２６〜図３０に示すように、湯水混合バルブ装置１の操作レバー部材２２の操作により、可動弁体１０が固定弁体１２に対して湯側への回転を伴って摺動し、固定弁体１２の通水路１２ｂを閉鎖した状態を維持しながら、固定弁体１２の通湯路１２ａのみを開放する。そして、固定弁体１２の通湯路１２ａから可動弁体１０の湯水連通部１０ａを通過した湯が、固定弁体１２の湯水混合路１２ｃを経て、湯水混合水栓装置２のスパウト６の吐水口６ａから吐水される。
【００７１】
また、操作ハンドル４を湯側（図１及び図２に示す矢印Ｈの方向）に回動操作して操作位置Ｐ１と操作位置Ｐ３との間の湯水混合操作領域Ｒ３の操作位置に設定し、操作ハンドル４を矢印「開」の方向に操作した場合には、湯水混合バルブ装置１の操作レバー部材２２の操作により、可動弁体１０が固定弁体１２に対して湯側への回転を伴って摺動し、固定弁体１２の通湯路１２ａ及び通水路１２ｂの双方を開放する。そして、固定弁体１２の通湯路１２ａ及び通水路１２ｂのそれぞれから流出して可動弁体１０の湯水連通部１０ａで混合された湯水が、固定弁体１２の湯水混合路１２ｃを経て、湯水混合水栓装置２のスパウト６の吐水口６ａから吐水される。
【００７２】
上述した本発明の第１実施形態による湯水混合バルブ装置１によれば、操作ハンドル４及び操作レバー部材２２が水側操作領域Ｒ２内における湯水混合操作領域Ｒ３側の領域の操作位置Ｐ３にあるときに、閉弁時の状態の可動弁体１０を操作ハンドル４及び操作レバー部材２２の操作により開弁時の状態に移動させると、可動弁体１０が固定弁体１２の通湯路１２ａを閉鎖した状態を維持しながら固定弁体１２の通水路１２ａの開口断面積を増加させる方向へ固定弁体１２に対して回転を伴って移動することができるため、操作ハンドル４及び操作レバー部材２２が、使用頻度が比較的高い吐水操作位置である水側操作領域Ｒ２内における湯水混合操作領域Ｒ３側にあるときにも、湯水混合水栓装置２の吐水口６ａから比較的多い吐水量の水を吐水することができる。したがって、使い勝手の良い湯水混合水栓装置２による吐水を行うことができる。
また、操作ハンドル４及び操作レバー部材２２を使用頻度が比較的高い吐水操作位置Ｐ３に設定した状態においては、可動弁体１０が固定弁体１２に対して湯側へ回転を伴って移動しているにもかかわらず、湯水混合水栓装置２の吐水口６ａから比較的多い吐水量の水を吐水することができるため、十分な水の吐水量を確保しつつ、湯水混合バルブ装置１の大きさを小型化することができ、湯水混合水栓装置２も小型化することができる。さらに、使用頻度が比較的高い吐水操作位置Ｐ３において、節湯することができる。
【００７３】
また、本実施形態による湯水混合バルブ装置１によれば、可動弁体１０の移動をガイドするガイド手段である下側ケーシング部材１４のガイド用突起２８と可動弁体ガイド部材１６のガイド溝３０によってガイドされる可動弁体１０のガイド方向が、固定弁体１２の前後方向に延びる下側ケーシング部材１４の中心軸線Ａ２の方向に対して傾いた方向に設定されていることにより、閉弁時の状態の可動弁体１０を操作ハンドル４及び操作レバー部材２２の操作によって開弁時の状態に移動させると、可動弁体１０が下側ケーシング部材１４のガイド用突起２８と可動弁体ガイド部材１６のガイド溝３０によってガイドされ、固定弁体１２に対して回転を伴って移動することができる。したがって、下側ケーシング部材１４の内部の比較的狭いスペース内で可動弁体１０の開閉動作を効率よく行うことができるため、湯水混合バルブ装置１の大きさを小型化することができる。また、操作ハンドル４及び操作レバー部材２２が、使用頻度が高い吐水操作位置Ｐ３である水側操作領域Ｒ２内における湯水混合操作領域Ｒ３側にあるときにも、湯水混合水栓装置２の吐水口６ａから比較的多い吐水量の水を吐水することができ、使い勝手の良い湯水混合水栓装置２による吐水を行うことができる。
【００７４】
また、本実施形態による湯水混合バルブ装置１によれば、操作ハンドル４及び操作レバー部材２２が水側操作領域Ｒ２内における湯水混合操作領域Ｒ３側の領域で、閉弁時の状態の可動弁体１０を操作ハンドル４及び操作レバー部材２２の操作により開弁時の状態に移動させると、可動弁体１０が固定弁体１２の通湯路１２ａを閉鎖した状態を維持しながら固定弁体１２の通水路１２ｂの開口断面積を増加させる方向に固定弁体１２に対して回転を伴って移動し、可動弁体１０の湯水連通部１０ａが固定弁体１２の通水路１２ｂ側に移動するため、湯の吐水が不利な状態となるが、固定弁体１２の通湯路１２ａの最も外側の位置（図５の通湯路１２ａの最も左側の位置）から、固定弁体１２の前後方向に延びる下側ケーシング部材１４の中心軸線Ａ２まで垂線を下ろした位置までの最大距離Ｌ１が、固定弁体１２の通水路１２ｂの最も外側の位置（図５の通水路１２ａの最も右側の位置）から下側ケーシング部材１４の中心軸線Ａ２まで垂線を下ろした位置までの最大距離Ｌ２よりも小さくなるように、固定弁体１２の通湯路１２ａ及び通水路１２ｂが下側ケーシング部材１４の中心軸線Ａ２に対して互いに非対称に形成されているため、湯水混合水栓装置２の吐水口６ａから混合された湯水を吐水する際には、湯の流量を確保することができる。
【００７５】
さらに、本実施形態による湯水混合バルブ装置１によれば、ほぼ半球形状に形成された操作レバー部材２２の接続部２２ａと、この接続部２２ａが挿入して取り付けられて可動弁体１０上の可動弁体ガイド部材１６のほぼ円形の断面形状に形成された取付穴１６ａの取付断面とにより、可動弁体１０が閉弁した状態では、操作レバー部材２２をその中心軸線Ａ３回りに回転させると、操作レバー部材２２が可動弁体ガイド部材１６の取付穴１６ａに対して空回りして可動弁体１０が水平面内で回転することがなく、可動弁体１０が開弁した状態では、操作レバー部材２２をその中心軸線Ａ３回りに回転させると、可動弁体１０が固定弁体１２に対して回転を伴って移動することができる。したがって、可動弁体１０の開閉動作を効率よく行うことができる。
【００７６】
また、本実施形態による湯水混合バルブ装置１によれば、可動弁体１０が閉弁位置Ｐ４にある状態で操作ハンドル４を中心軸線Ａ１を中心に回動操作した場合に、可動弁体１０が開弁位置Ｐ５，Ｐ６にある状態に比べて固定弁体１２に対する可動弁体１０の摺動範囲を規制することができるため、閉弁時の可動弁体１０が、操作ハンドル４の回動操作によって固定弁体１２の通湯路１２ａ及び通水路１２ｂを開放するのを防ぐことができる。したがって、可動弁体１０が閉弁位置Ｐ４にある状態で操作ハンドル４を中心軸線Ａ１を中心に回動操作した場合に、可動弁体１０が開弁位置Ｐ５，Ｐ６にある状態に比べて固定弁体１２に対する可動弁体１０の摺動範囲を規制していない状態に比べて、固定弁体１２の通湯路１２ａ及び通水路１２ｂのそれぞれの流路を大きく設定することができる。
また、固定弁体１２の通湯路１２ａの最も外側の位置（図５及び図３１に示す通湯路１２ａの最も左側の位置）から、固定弁体１２の前後方向に延びる下側ケーシング部材１４の中心軸線Ａ２まで垂線を下ろした位置までの最大距離Ｌ１が、固定弁体１２の通水路１２ｂの最も外側の位置（図５及び図３１に示す通水路１２ａの最も右側の位置）から下側ケーシング部材１４の中心軸線Ａ２まで垂線を下ろした位置までの最大距離Ｌ２よりも小さくなるように、固定弁体１２の通湯路１２ａ及び通水路１２ｂが互いに異なる形状に形成され、且つ下側ケーシング部材１４の中心軸線Ａ２に対して互いに非対称に配置されているため、固定弁体１２の通湯路１２ａを下側ケーシング部材１４の中心軸線Ａ２側に寄せることができる。したがって、固定弁体１２の通湯路１２ａを下側ケーシング部材１４の中心軸線Ａ２側に寄せていない場合に比べて、可動弁体１２を開弁させて湯水を吐水する際に固定弁体１２の通湯路１２ｂを流れる湯の流量を増大させることができる。また、操作ハンドル４を使用頻度が高い正面側のほぼ中央の操作位置Ｐ３に操作した状態で可動弁体１０の開閉操作を行うことにより、スパウト６の吐水口６ａから水のみを吐水することができる。さらに、このように水のみを吐水している状態から、図２及び図３４に示すように、操作ハンドル４を正面側のほぼ中央の操作位置Ｐ３から湯側の操作位置Ｐ１側へ回動操作したときには、固定弁体１２の通湯路１２ａと可動弁体１０の湯水連通部１０ａとが連通する面積を増大させることもでき、固定弁体１２の通湯路１２ａから可動弁体１０の湯水連通部１０ａを流れる湯の流量をさらに増大させることができる。よって、使用頻度が高い操作ハンドル４の吐水操作位置Ｐ３において、スパウト６の吐水口６ａから十分な水の吐水量を確保して水のみを吐水することができる共に、可動弁体１０を開弁させて湯水を吐水する際には固定弁体１２の通湯路１２ａを流れる湯の流量を増大させることができるため、使い勝手が良い。
【００７７】
さらに、本実施形態による湯水混合バルブ装置１によれば、固定弁体１２は、その通水路１２ｂにおいて下側ケーシング部材１４の中心Ｏ側に形成される内側縁部３２、固定弁体１２の前後方向に延びる下側ケーシング部材１４の中心軸線Ａ２、及び通水路１２ｂの内側縁部３２の後端３２ａから中心軸線Ａ２に下ろした垂線Ｖ１によって取り囲まれるように形成される第１の領域ｒ１と、この第１の領域ｒ１に対して下側ケーシング部材１４の中心軸線Ａ２を対称軸として対称に形成される第２の領域ｒ２とを備え、固定弁体１２の通湯路１２ａの一部の領域ｈ１が、第２の領域ｒ２内に存在しているため、固定弁体１２の通湯路１２ａと通水路１２ｂとを下側ケーシング部材１４の中心軸線Ａ２に対して互いに対称に配置することなく、固定弁体１２の通湯路１２ｂを下側ケーシング部材１４の中心軸線Ａ２側に寄せて配置することができる。したがって、固定弁体１２の通湯路１２ａを下側ケーシング部材１４の中心軸線Ａ２側に寄せて配置されていない場合に比べて、可動弁体１２を開弁させて湯水を吐水する際に固定弁体１２の通湯路１２ａを流れる湯の流量を増大させることができる。したがって、操作ハンドル４を使用頻度が高い正面側のほぼ中央の操作位置Ｐ３に操作した状態で可動弁体１０の開閉操作を行うことにより、スパウト６の吐水口６ａから水のみを吐水することができ、このように水のみを吐水している状態から、図２及び図３４に示すように、操作ハンドル４を正面側のほぼ中央の操作位置Ｐ３から湯側の操作位置Ｐ１側へ回動操作したときには、固定弁体１２の通湯路１２ａと可動弁体１０の湯水連通部１０ａとが連通する面積を増大させることもでき、固定弁体１２の通湯路１２ａから可動弁体１０の湯水連通部１０ａを流れる湯の流量をさらに増大させることができる。よって、使用頻度が高い操作ハンドル４の吐水操作位置Ｐ３において、スパウト６の吐水口６ａから十分な水の吐水量を確保して水のみを吐水することができる共に、可動弁体１０を開弁させて湯水を吐水する際には固定弁体１２の通湯路１２ａを流れる湯の流量を増大させることができるため、使い勝手が良い。
【００７８】
また、本実施形態による湯水混合バルブ装置１によれば、固定弁体１２が、可動弁体１０の湯水連通部１０ａの通水路側縁部３４、下側ケーシング部材１４の中心軸線Ａ２、及び通水路１２ｂの内側縁部３２の後端３２ａから中心軸線Ａ２に下ろした垂線Ｖ１によって取り囲まれるように形成される第３の領域ｒ３と、この第３の領域ｒ３に対して下側ケーシング部材１４の中心軸線Ａ２を対称軸として対称に形成される第４の領域ｒ４とを備え、可動弁体１０の湯水連通部１０ａの通湯路側縁部３６の一部が第４の領域ｒ４内に存在しているため、固定弁体１２の通湯路１２ａと通水路１２ｂとを下側ケーシング部材１４の中心軸線Ａ２に対して互いに対称に配置することなく、固定弁体１２の通湯路１２ａを下側ケーシング部材１４の中心軸線Ａ２側に寄せて配置することができる。したがって、固定弁体１２の通湯路１２ａを下側ケーシング部材１４の中心軸線Ａ２側に寄せて配置されていない場合に比べて、可動弁体１０を開弁させて湯水を吐水する際に固定弁体１２の通湯路１２ａを流れる湯の流量を増大させることができる。
【００７９】
さらに、本実施形態による湯水混合バルブ装置１によれば、操作ハンドル４を使用頻度が高い正面側のほぼ中央の操作位置Ｐ３に操作した状態で可動弁体１０の開閉操作を行った場合において、可動弁体１０が開弁位置Ｐ５（図３３参照）にあるときに、固定弁体１２の通湯路１２ａの内側縁部３８と可動弁体１０の湯水連通部１０ａの通湯路側縁部３６とが互いに最も接近している部分の間隔ｄ１が、可動弁体１０が閉弁位置Ｐ４（図３２参照）にあるときに、固定弁体１２の通湯路１２ａの内側縁部３８と可動弁体１０の湯水連通部１０ａの通湯路側縁部３６とが互いに最も接近している部分の間隔ｄ２よりも小さくなるように設定されている。また、固定弁体１２の通湯路１２ａの内側縁部３８及び可動弁体１０の湯水連通部１０ａの通湯路側縁部３６のそれぞれが、可動弁体１０が閉弁位置Ｐ４（図３２参照）から開弁位置Ｐ５（図３３参照）に移動する方向に向って、或いは、可動弁体１０の後方から前方に向って、下側ケーシング部材１４の中心軸線Ａ２に近づくように傾斜している。
これらにより、操作ハンドル４を使用頻度が高い正面側のほぼ中央の操作位置Ｐ３に操作した状態で可動弁体１０が閉弁位置Ｐ４にあるときには、固定弁体１２の通湯路１２ａの内側縁部３８と可動弁体１０の湯水連通部１０ａの通湯路側縁部３６との間隔について、可動弁体１０が開弁位置Ｐ５にあるときよりも大きく保つことができるため、確実に止水することができ、湯水混合水栓装置２のスパウト６の吐水口６ａからの漏水を防ぐことができる。
一方、操作ハンドル４を使用頻度が高い正面側のほぼ中央の操作位置Ｐ３に操作した状態で可動弁体１０が開弁位置Ｐ５にあるときには、固定弁体１２の通湯路１２ａの内側縁部３８と可動弁体１０の湯水連通部１０ａの通湯路側縁部３６との間隔を可能な限り小さくすることができるため、固定弁体１２の通湯路１２ａの流路断面積を大きく設定することができる。したがって、操作ハンドル４を使用頻度が高い正面側のほぼ中央の操作位置Ｐ３に操作した状態で可動弁体１０の開閉操作を行うことにより、スパウト６の吐水口６ａから水のみを吐止水することができると共に、このように水のみを吐水している状態から、図２及び図３４に示すように、操作ハンドル４を正面側のほぼ中央の操作位置Ｐ３から湯側の操作位置Ｐ１側へ回動操作したときには、固定弁体１２の通湯路１２ａと可動弁体１０の湯水連通部１０ａとが連通する面積をさらに増大させることもでき、固定弁体１２の通湯路１２ａから可動弁体１０の湯水連通部１０ａを流れる湯の流量をさらに増大させることができる。
【００８０】
つぎに、図３５〜図３９を参照して、本発明の第２実施形態による湯水混合バルブ装置について説明する。
まず、図３５は、本発明の第２実施形態による湯水混合バルブ装置の下側ケーシング部材及び可動弁体ガイド部材において、操作レバー部材を水側操作領域内の湯水混合操作領域側の操作位置に設定して可動弁体を閉弁させた状態を示す平面図である。つぎに、図３６は、本発明の第２実施形態による湯水混合バルブ装置の固定弁体及び可動弁体において、操作レバー部材を水側操作領域内の湯水混合操作領域側の操作位置に設定して可動弁体を閉弁させた状態を示す平面図である。また、図３７は、本発明の第２実施形態による湯水混合バルブ装置の固定弁体及び可動弁体において、操作レバー部材を水側操作領域内の湯水混合操作領域側の操作位置に設定して可動弁体を開弁させた状態を示す平面図である。さらに、図３８は、本発明の第２実施形態による湯水混合バルブ装置の固定弁体及び可動弁体において、操作レバー部材を湯側操作領域内の最も湯側の操作位置に設定して可動弁体を開弁させた状態を示す平面図である。また、図３９は、本発明の第２実施形態による湯水混合バルブ装置の固定弁体及び可動弁体において、操作レバー部材を水側操作領域内の最も水側の操作位置に設定し可動弁体を開弁させた状態を示す平面図である。
なお、図３５〜図３９に示す本発明の第２実施形態による湯水混合バルブ装置１００においては、本発明の第１実施形態の湯水混合バルブ装置１と異なっている部分のみについて説明し、本発明の第１実施形態の湯水混合バルブ装置１の部分と同一部分については同一の符号を付し、これらの説明を省略する。
【００８１】
まず、図３５に示すように、本発明の第２実施形態による湯水混合バルブ装置１００においては、下側ケーシング部材１１４に内蔵されて固定弁体１１２に対する可動弁体１１０の摺動をガイドするための可動弁体ガイド部材１１６、及び、下側ケーシング部材１１４の内周側の後端部１１４ａに設けられて可動弁体ガイド部材１１６のガイド溝１３０に挿入されて嵌合されるガイド用突起１２８が、上述した本発明の第１実施形態の湯水混合バルブ装置１の可動弁体ガイド部材１６及びガイド用突起２８と異なっている。
また、図３６〜図３９に示すように、本発明の第２実施形態による湯水混合バルブ装置１００においては、下側ケーシング部材１１４に内蔵されている固定弁体１１２の通湯路１１２ａの形状が上述した本発明の第１実施形態の湯水混合バルブ装置１の固定弁体１２の通湯路１２ａの形状と異なっており、可動弁体１１０の湯水連通部１１０ａの通湯路側縁部１３６の形状が、上述した本発明の第１実施形態の湯水混合バルブ装置１の可動弁体１０の湯水連通部１０ａの通湯路側縁部３６の形状と異なっている。
【００８２】
これらの異なっている部分について、より具体的に説明すると、図３５に示すように、ガイド用突起１２８が下側ケーシング部材１１４の内周側の後端部１１４ａから前方に突出するように形成されており、このガイド用突起１２８の中心軸線１２８ａは、固定弁体１１２の前後方向に延びる下側ケーシング部材１１４の中心軸線Ａ１０２と上下方向に平行に延びており、図３５に示す平面視において一致している。したがって、図２に示す操作ハンドル４を使用頻度が高い正面側のほぼ中央の操作位置Ｐ３に操作した状態において、可動弁体１１０を閉弁位置Ｐ１０４（図３５及び図３６参照）から開弁位置Ｐ１０５（図３５及び図３７参照）へ開閉操作を行った場合では、操作レバー部材２２の接続部２２ａが取り付けられている可動弁体ガイド部材１１６の取付穴１１６ａが前方へ移動する共に、可動弁体ガイド部材１１６のガイド溝１３０がガイド用突起１２８に嵌合されている状態を維持しながら、可動弁体ガイド部材１１６が可動弁体１１０と共に閉弁位置Ｐ１０４（図３５及び図３６参照）から開弁位置Ｐ１０５（図３５及び図３７参照）に向って、回転することなく前方へ直進して移動するようになっている。
【００８３】
また、図３５に示すように、開弁位置Ｐ１０５の可動弁体ガイド部材１１６のガイド溝１３０は、ガイド用突起１２８との嵌合から外れた状態となり、この状態では、図３７に示すように、固定弁体１１２の通水路１１２ｂのみが可動弁体１１０により開放されており、操作ハンドル４を使用頻度が高い正面側のほぼ中央の操作位置Ｐ３に設定した状態でスパウト６の吐水口６ａから水のみが吐水されるようになっている。
さらに、図３５及び図３７に示すように、開弁位置Ｐ１０５の可動弁体ガイド部材１１６のガイド溝１３０ガイド用突起１２８との嵌合から外れた状態では、図２に示す操作ハンドル４を湯側の操作位置Ｐ１側や水側の操作位置Ｐ２側へさらなる回動操作を行うことにより可動弁体１１０が固定弁体１１２の上面に沿って回転摺動が可能となっている。したがって、操作ハンドル４を使用頻度が高い正面側のほぼ中央の操作位置Ｐ３に設定した状態でスパウト６の吐水口６ａから水のみが吐水される状態で、可動弁体１１０をさらなる湯側の開弁位置Ｐ１０６（図３８参照）に設定を切り替え、スパウト６の吐水口６ａから吐水する湯の流量を増加させたり、可動弁体１１０をさらなる水側の開弁位置Ｐ１０７（図３９参照）に設定を切り替え、スパウト６の吐水口６ａから吐水する水の流量を増加させたりすることができるようになっている。
【００８４】
つぎに、図３６〜図３９に示すように、固定弁体１１２の通湯路１１２ａの内側縁部１３８は、下側ケーシング部材１１４の中心軸線Ａ１０２に対して最も近位側に位置し且つ内側縁部１３８のうちで最も前方側へ位置する第１の内側縁部１３８ａと、中心軸線Ａ１０２に対して第１の内側縁部１３８ａよりも遠位側且つ後方側に位置する第２の内側縁部１３８ｂと、下側ケーシング部材１１４の中心軸線Ａ１０２に対して最も遠位側に位置し且つ第２の内側縁部１３８ｂよりも後方側に位置する第３の内側縁部１３８ｃとを備えている。また、固定弁体１１２の通湯路１１２ａの内側縁部１３８は、更に、第１の内側縁部１３８ａの後端と第２の内側縁部１３８ｂの前端とを接続するように形成される第１の段部１４０と、第２の内側縁部１３８ｂの後端と第３の内側端部１３８ｃの前端とを接続するように形成される第２の段部１４２とを備えている。
【００８５】
また、図３６及び図３７に示すように、可動弁体１１０の湯水連通部１１０ａの通湯路側縁部１３６は、下側ケーシング部材１１４の中心軸線Ａ１０２に対して近位側且つ前方側に位置する第１の通湯路側縁部１３６ａと、中心軸線Ａ１０２に対して第１の通湯路側縁部１３６ａよりも遠位側且つ後方側に位置する第２の通湯路側縁部１３６ｂとを備えている。また、可動弁体１１０の湯水連通部１１０ａの通湯路側縁部１３６は、更に、第１の通湯路側縁部１３６ａの後端と第２の通湯路側縁部１３６ｂの前端とを接続するように形成される段部１４４を備えている。
【００８６】
つぎに、図３６〜図３９に示すように、固定弁体１１２は、その通水路１１２ｂにおいて下側ケーシング部材１１４の中心Ｏ側に形成される内側縁部１３２、固定弁体１１２の前後方向に延びる下側ケーシング部材１１４の中心軸線Ａ１０２、及び通水路１１２ｂの内側縁部１３２の後端１３２ａから中心軸線Ａ１０２に下ろした垂線Ｖ１０１によって取り囲まれるように形成される第１の領域ｒ１０１と、この第１の領域ｒ１０１に対して下側ケーシング部材１１４の中心軸線Ａ１０２を対称軸として対称に形成される第２の領域ｒ１０２とを備えている。そして、固定弁体の通湯路１１２ａの一部の領域ｈ１０１が、第２の領域ｒ１０２内に存在している。
これにより、固定弁体１１２の通湯路１１２ａと通水路１１２ｂとを下側ケーシング部材１１４の中心軸線Ａ１０２に対して互いに対称に配置することなく、固定弁体１１２の通湯路１１２ａを下側ケーシング部材１１４の中心軸線Ａ１０２側に寄せて配置されている。したがって、固定弁体１１２の通湯路１１２ａを下側ケーシング部材１１４の中心軸線Ａ１０２側に寄せて配置されていない場合に比べて、可動弁体１１０を開弁させて湯水を吐水する際に固定弁体１１２の通湯路１１２ａを流れる湯の流量を増大させることができるようになっている。
【００８７】
つぎに、図３６〜図３８に示すように、固定弁体１１２は、可動弁体１１０の湯水連通部１１０ａの通水路側縁部１３４、下側ケーシング部材１１４の中心軸線Ａ１０２、及び通水路１１２ｂの内側縁部１３２の後端１３２ａから中心軸線Ａ１０２に下ろした垂線Ｖ１０１によって取り囲まれるように形成される第３の領域ｒ１０３と、この第３の領域ｒ１０３に対して下側ケーシング部材１１４の中心軸線Ａ１０２を対称軸として対称に形成される第４の領域ｒ１０４とを備えている。そして、可動弁体１１０の湯水連通部１１０ａの通湯路側縁部１３６の一部が第４の領域ｒ１０４内に存在している。
これにより、固定弁体１１２の通湯路１１２ａと通水路１１２ｂとを下側ケーシング部材１１４の中心軸線Ａ１０２に対して互いに対称に配置することなく、固定弁体１１２の通湯路１１２ａを下側ケーシング部材１１４の中心軸線Ａ１０２側に寄せて配置されている。したがって、固定弁体１１２の通湯路１１２ａを下側ケーシング部材１１４の中心軸線Ａ１０２側に寄せて配置されていない場合に比べて、可動弁体１１０を開弁させて湯水を吐水する際（図３８参照）に固定弁体１１２の通湯路１１２ａを流れる湯の流量を増大させることができるようになっている。
【００８８】
つぎに、図３６及び図３７に示すように、操作ハンドル４を使用頻度が高い正面側のほぼ中央の操作位置Ｐ３に操作した状態で可動弁体１１０の開閉操作を行った場合において、可動弁体１１０が開弁位置Ｐ１０５（図３７参照）にあるときに、固定弁体１１２の通湯路１１２ａの内側縁部１３８と可動弁体１１０の湯水連通部１１０ａの通湯路側縁部１３６とが互いに最も接近している部分の間隔ｄ１０１（図３７参照）は、可動弁体１０が閉弁位置Ｐ１０４（図３６参照）にあるときに、固定弁体１１２の通湯路１１２ａの内側縁部１３８と可動弁体１１０の湯水連通部１１０ａの通湯路側縁部１３６とが互いに最も接近している部分の間隔ｄ１０２よりも小さくなるように設定されている。
これにより、可動弁体１１０が閉弁位置Ｐ１０４（図３６参照）にあるときには、固定弁体１１２の通湯路１１２ａの内側縁部１３８と可動弁体１１０の湯水連通部１１０ａの通湯路側縁部１３６との間隔を大きく保つことができるため、確実に止水することができ、スパウト６の吐水口６ａからの漏水を防ぐことができるようになっている。
一方、操作ハンドル４を使用頻度が高い正面側のほぼ中央の操作位置Ｐ３に操作した状態で、可動弁体１１０が開弁位置Ｐ１０５（図３７参照）にあるときには、固定弁体１１２の通湯路１１２ａの内側縁部１３８と可動弁体１１０の湯水連通部１１０ａの通湯路側縁部１３６との間隔を可能な限り小さくすることができ、固定弁体１１２の通湯路１１２ａの流路断面積を大きく設定することができるようになっている。したがって、可動弁体１１０が開弁位置Ｐ１０５（図３７参照）にあるときに、図２及び図３８に示すように、操作ハンドル４を正面側のほぼ中央の操作位置Ｐ３から湯側の操作位置Ｐ１側へ回動操作したときには、固定弁体１１２の通湯路１１２ａと可動弁体１１０の湯水連通部１１０ａとが連通する面積を増大させることもでき、固定弁体１１２の通湯路１１２ａから可動弁体１１０の湯水連通部１１０ａ（図３８参照）を流れる湯の流量をさらに増大させることができるようになっている。
【００８９】
上述した本発明の第２実施形態による湯水混合バルブ装置１００によれば、固定弁体１１２は、その通水路１１２ｂにおいて下側ケーシング部材１１４の中心Ｏ側に形成される内側縁部１３２、固定弁体１１２の前後方向に延びる下側ケーシング部材１１４の中心軸線Ａ１０２、及び通水路１１２ｂの内側縁部１３２の後端１３２ａから中心軸線Ａ１０２に下ろした垂線Ｖ１０１によって取り囲まれるように形成される第１の領域ｒ１０１と、この第１の領域ｒ１０１に対して下側ケーシング部材１１４の中心軸線Ａ１０２を対称軸として対称に形成される第２の領域ｒ１０２とを備え、固定弁体１１２の通湯路１１２ａの一部の領域ｈ１０１が、第２の領域ｒ１０２内に存在しているため、固定弁体１１２の通湯路１１２ａと通水路１１２ｂとを下側ケーシング部材１１４の中心軸線Ａ１０２に対して互いに対称に配置することなく、固定弁体１１２の通湯路１１２ｂを下側ケーシング部材１１４の中心軸線Ａ１０２側に寄せて配置することができる。したがって、固定弁体１１２の通湯路１１２ａを下側ケーシング部材１１４の中心軸線Ａ１０２側に寄せて配置されていない場合に比べて、可動弁体１１２を開弁させて湯水を吐水する際に固定弁体１１２の通湯路１１２ａを流れる湯の流量を増大させることができる。よって、使用頻度が高い操作ハンドル４の吐水操作位置Ｐ３において、スパウト６の吐水口６ａから十分な水の吐水量を確保して水のみを吐水することができる共に、可動弁体１１０を開弁させて湯水を吐水する際には固定弁体１１２の通湯路１１２ａを流れる湯の流量を増大させることができるため、使い勝手が良い。
【００９０】
また、本実施形態による湯水混合バルブ装置１００によれば、固定弁体１１２が、可動弁体１１０の湯水連通部１１０ａの通水路側縁部１３４、下側ケーシング部材１１４の中心軸線Ａ１０２、及び通水路１１２ｂの内側縁部１３２の後端１３２ａから中心軸線Ａ１０２に下ろした垂線Ｖ１０１によって取り囲まれるように形成される第３の領域ｒ１０３と、この第３の領域ｒ１０３に対して下側ケーシング部材１１４の中心軸線Ａ１０２を対称軸として対称に形成される第４の領域ｒ１０４とを備え、図３６〜図３８に示すように、可動弁体１１０の湯水連通部１１０ａの通湯路側縁部１３６の一部が第４の領域ｒ１０４内に存在しているため、固定弁体１１２の通湯路１１２ａと通水路１２ｂとを下側ケーシング部材１１４の中心軸線Ａ１０２に対して互いに対称に配置することなく、固定弁体１１２の通湯路１１２ａを下側ケーシング部材１１４の中心軸線Ａ１０２側に寄せて配置することができる。したがって、固定弁体１１２の通湯路１１２ａを下側ケーシング部材１１４の中心軸線Ａ１０２側に寄せて配置されていない場合に比べて、可動弁体１１０を開弁させて湯水を吐水する際に（図３８参照）、固定弁体１１２の通湯路１１２ａを流れる湯の流量を増大させることができる。
【００９１】
さらに、本実施形態による湯水混合バルブ装置１００によれば、固定弁体１１２の通湯路１１２ａの内側縁部１３８の第１の段部１４０及び第２の段部１４２を備えていると共に、可動弁体１１０の湯水連通部１１０ａの通湯路側縁部１３６が第１の通湯路側縁部１３６ａの後端と第２の通湯路側縁部１３６ｂの前端とを接続するように形成される段部１４４を備えている。また、操作ハンドル４を使用頻度が高い正面側のほぼ中央の操作位置Ｐ３に操作した状態で可動弁体１１０の開閉操作を行った場合において、可動弁体１１０が開弁位置Ｐ１０５（図３７参照）にあるときに、固定弁体１１２の通湯路１１２ａの内側縁部１３８と可動弁体１１０の湯水連通部１１０ａの通湯路側縁部１３６とが互いに最も接近している部分の間隔ｄ１０１が、可動弁体１１０が閉弁位置Ｐ１０４（図３６参照）にあるときに、固定弁体１１２の通湯路１１２ａの内側縁部１３８と可動弁体１１０の湯水連通部１１０ａの通湯路側縁部１３６とが互いに最も接近している部分の間隔ｄ１０２よりも小さくなるように設定されている。
これらにより、操作ハンドル４を使用頻度が高い正面側のほぼ中央の操作位置Ｐ３に操作した状態で可動弁体１１０が閉弁位置Ｐ１０４にあるときには（図３６参照）、固定弁体１１２の通湯路１１２ａの内側縁部１３８と可動弁体１１０の湯水連通部１１０ａの通湯路側縁部１３６との間隔について、可動弁体１１０が開弁位置Ｐ１０５にあるとき（図３７参照）よりも大きく保つことができるため、確実に止水することができ、スパウト６の吐水口６ａからの漏水を防ぐことができる。
一方、操作ハンドル４を使用頻度が高い正面側のほぼ中央の操作位置Ｐ３に操作した状態で可動弁体１１０が開弁位置Ｐ１０５にあるときには（図３７参照）、固定弁体１１２の通湯路１１２ａの内側縁部１３８と可動弁体１１０の湯水連通部１１０ａの通湯路側縁部１３６との間隔を可能な限り小さくすることができるため、固定弁体１１２の通湯路１１２ａの流路断面積を大きく設定することができる。したがって、操作ハンドル４を使用頻度が高い正面側のほぼ中央の操作位置Ｐ３に操作した状態で可動弁体１１０の開閉操作を行うことにより、スパウト６の吐水口６ａから水のみを吐止水することができると共に、このように水のみを吐水している状態（図３７参照）から、操作ハンドル４を正面側のほぼ中央の操作位置Ｐ３から湯側の操作位置Ｐ１側へ回動操作したときには（図３８参照）、固定弁体１１２の通湯路１１２ａと可動弁体１１０の湯水連通部１１０ａとが連通する面積をさらに増大させることもでき、固定弁体１１２の通湯路１１２ａから可動弁体１０の湯水連通部１１０ａを流れる湯の流量をさらに増大させることができる。
【符号の説明】
【００９２】
１    湯水混合バルブ装置
２    湯水混合水栓装置
２ａ  通湯路
２ｂ  通水路
４    操作ハンドル
４ａ  操作ハンドルの接続部
６    スパウト
６ａ  吐水口
８    カウンター
１０    可動弁体
１０ａ  湯水連通部
１０ｂ  可動弁体の摺動面
１２    固定弁体
１２ａ  通湯路
１２ｂ  通水路
１２ｃ  湯水混合路
１２ｄ  通水路の湯側端部
１４    下側ケーシング部材（ケーシング）
１４ａ  後端部
１４ｂ  湯水混合路
１６    可動弁体ガイド部材
１６ａ  取付穴
１６ｂ  突起部
１８    操作レバー保持部材
１８ａ  嵌合長穴
１８ｂ  ガイド用の長穴
２０    シール部材
２２    操作レバー部材（操作部）
２２ａ  接続部（操作部の一端部）
２２ｂ  嵌合部
２２ｃ  ボール部
２２ｄ  取付部
２２ｅ  前面
２４    上側ケーシング部材
２４ａ  取付穴
２６    操作レバー上側接続部材（操作部）
２６ａ  前面
２８    ガイド用突起
２８ａ  ガイド用突起の中心軸線
３０    ガイド溝
３２    固定弁体の通水路の内側縁部（通水路内側縁部）
３２ａ  固定弁体の通水路の内側縁部の後端（通水路内側縁部の一端）
３４    可動弁体の湯水連通部の通水路側縁部
３６    可動弁体の湯水連通部の通湯路側縁部
３８    固定弁体の通湯路の内側縁部（湯水連通側縁部）
１００    湯水混合バルブ装置
１１０    可動弁体
１１０ａ  湯水連通部
１１２    固定弁体
１１２ａ  通湯路
１１２ｂ  通水路
１１２ｃ  湯水混合路
１１４    下側ケーシング部材（ケーシング）
１１４ａ  後端部
１１６    可動弁体ガイド部材
１３０    ガイド溝
１３２    固定弁体の通水路の内側縁部（通水路内側縁部）
１３２ａ  固定弁体の通水路の内側縁部の後端（通水路内側縁部の一端）
１３４    可動弁体の湯水連通部の通水路側縁部
１３６    可動弁体の湯水連通部の通湯路側縁部
１３６ａ  可動弁体の湯水連通部の第１の通湯路側縁部
１３６ｂ  可動弁体の湯水連通部の第２の通湯路側縁部
１３８    固定弁体の通湯路の内側縁部（湯水連通側縁部）
１３８ａ  固定弁体の通湯路の第１の内側縁部
１３８ｂ  固定弁体の通湯路の第２の内側縁部
１３８ｃ  固定弁体の通湯路の第３の内側縁部
１４０    固定弁体の通湯路の内側縁部の第１の段部（第１の段部）
１４２    固定弁体の通湯路の内側縁部の第２の段部（第１の段部）
１４４    可動弁体の湯水連通部の通湯路側縁部の段部（第２の段部）
Ａ２      下側ケーシング部材の中心軸線（ケーシングの中心軸線）
Ａ１０２  下側ケーシング部材の中心軸線（ケーシングの中心軸線）
【図１】
0005721061.tif 000002
【図２】
0005721061.tif 000003
【図３】
0005721061.tif 000004
【図４】
0005721061.tif 000005
【図５】
0005721061.tif 000006
【図６】
0005721061.tif 000007
【図７】
0005721061.tif 000008
【図８】
0005721061.tif 000009
【図９】
0005721061.tif 000010
【図１０】
0005721061.tif 000011
【図１１】
0005721061.tif 000012
【図１２】
0005721061.tif 000013
【図１３】
0005721061.tif 000014
【図１４】
0005721061.tif 000015
【図１５】
0005721061.tif 000016
【図１６】
0005721061.tif 000017
【図１７】
0005721061.tif 000018
【図１８】
0005721061.tif 000019
【図１９】
0005721061.tif 000020
【図２０】
0005721061.tif 000021
【図２１】
0005721061.tif 000022
【図２２】
0005721061.tif 000023
【図２３】
0005721061.tif 000024
【図２４】
0005721061.tif 000025
【図２５】
0005721061.tif 000026
【図２６】
0005721061.tif 000027
【図２７】
0005721061.tif 000028
【図２８】
0005721061.tif 000029
【図２９】
0005721061.tif 000030
【図３０】
0005721061.tif 000031
【図３１】
0005721061.tif 000032
【図３２】
0005721061.tif 000033
【図３３】
0005721061.tif 000034
【図３４】
0005721061.tif 000035
【図３５】
0005721061.tif 000036
【図３６】
0005721061.tif 000037
【図３７】
0005721061.tif 000038
【図３８】
0005721061.tif 000039
【図３９】
0005721061.tif 000040